(57)【要約】【課題】関節に着用されたときに、サポート感及びフィット感に優れ、かつ、肌ストレスが軽減される関節用サポーター部を備える衣類を提供する。【解決手段】筒型の関節用サポーター部を備える衣類であって、上記筒型の関節用サポーター部が、身体の関節部位に対して着圧を付与するための着圧付与領域を含む上記筒型の関節用サポーター部の軸方向の中央領域と、上記中央領域に対して上記軸方向の一端側に位置する一端側領域と、上記中央領域に対して上記軸方向の他端側に位置する他端側領域と、を含み、上記着圧付与領域の着圧が、上記一端側領域及び上記他端側領域の平均着圧よりも高く、上記筒型の関節用サポーター部における上記着圧付与領域以外の領域が、凹凸組織からなる凹凸組織領域を含む衣類。【選択図】図１０
2018184702.tif 000002
【特許請求の範囲】
【請求項１】
筒型の関節用サポーター部を備える衣類であって、
前記筒型の関節用サポーター部が、身体の関節部位に対して着圧を付与するための着圧付与領域を含む前記筒型の関節用サポーター部の軸方向の中央領域と、前記中央領域に対して前記軸方向の一端側に位置する一端側領域と、前記中央領域に対して前記軸方向の他端側に位置する他端側領域と、を含み、
前記着圧付与領域の着圧が、前記一端側領域及び前記他端側領域の平均着圧よりも高く、
前記筒型の関節用サポーター部における前記着圧付与領域以外の領域が、凹凸組織からなる凹凸組織領域を含み、
前記身体の関節部位は、関節を屈曲した時に関節の外側に位置する部位であって、腱及び靭帯の少なくとも一方の一部又は全体を覆う部位である衣類。
【請求項２】
前記凹凸組織からなる凹凸組織領域が、凹凸編地からなる凹凸編地領域である請求項１に記載の衣類。
【請求項３】
前記着圧付与領域及び前記凹凸編地領域は、つかみ幅１５ｍｍ、つかみ間隔１５ｍｍ、及び引張荷重２０Ｎの条件の引張試験によって測定された前記軸方向の伸長率が、前記凹凸編地領域＞前記着圧付与領域の関係を満たす請求項２に記載の衣類。
【請求項４】
前記凹凸編地領域は、
前記筒型のサポーター部の軸方向及び周方向のうちの一方向に伸長率２００％にて伸長させたときに、前記一方向の弾性率が、０．１Ｎ／ｍｍ２未満である請求項２又は請求項３に記載の衣類。
【請求項５】
前記凹凸編地領域は、つかみ幅１５ｍｍ、つかみ間隔１５ｍｍ、及び引張荷重２０Ｎの条件の引張試験によって測定された、前記筒型のサポーター部の軸方向の伸長率及び前記筒型のサポーター部の周方向の伸長率が、前記軸方向の伸長率＞前記周方向の伸長率の関係を満たす請求項２〜請求項４のいずれか１項に記載の衣類。
【請求項６】
前記中央領域が、膝関節に着用され、
前記中央領域の平均着圧ＸＡと前記一端側領域及び前記他端側領域の平均着圧ＸＢとが、前記平均着圧ＸＡ＞前記平均着圧ＸＢの関係を満たす請求項１〜請求項５のいずれか１項に記載の衣類。
【請求項７】
前記平均着圧ＸＡと前記平均着圧ＸＢとが、前記平均着圧ＸＡ−前記平均着圧ＸＢ≧０．８ｋＰａの関係を満たす請求項６に記載の衣類。
【請求項８】
前記凹凸組織からなる凹凸組織領域が、凹凸編地からなる凹凸編地領域であり、
前記凹凸編地領域について、つかみ幅１５ｍｍ、つかみ間隔１５ｍｍ、及び引張荷重２０Ｎの条件の引張試験によって測定された前記軸方向の伸長率が、１５０％以上である請求項２〜請求項７のいずれか１項に記載の衣類。
【請求項９】
前記筒型の関節用サポーター部において前記着圧付与領域の中心ＸＸを中心とする半周側を前面側とし、残りの半周側を後面側とした場合において、
前記着圧付与領域の中心ＸＸ、前記中央領域の後面側の中心ＸＹ、及び、前記中心ＸＸと前記中心ＸＹとの中間位置の合計３点について、それぞれ、つかみ幅１５ｍｍ、つかみ間隔１５ｍｍ、及び引張荷重２０Ｎの条件の引張試験によって周方向の伸長率を測定した場合に、３つの測定値の全てが１００％〜２５０％の範囲に含まれ、３つの測定値における最大値と最小値との差が０％〜８０％である請求項１〜請求項８のいずれか１項に記載の衣類。
【請求項１０】
前記筒型の関節用サポーター部において前記着圧付与領域の中心ＸＸを中心とする半周側を前面側とし、残りの半周側を後面側とした場合において、
前記着圧付与領域の中心ＸＸを中心とする測定範囲ＸＸ１、前記中央領域の後面側の中心ＸＹから軸方向に延ばした延長線上であって前記一端側領域における軸方向の中心である位置ＸＴを中心とする測定範囲ＸＴ１、及び前記中央領域の後面側の中心ＸＹから軸方向に延ばした延長線上であって前記他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって周方向の伸長率を測定したときに、
前記測定範囲ＸＸ１の周方向の伸長率が、前記測定範囲ＸＴ１の周方向の伸長率及び前記測定範囲ＸＳ１の周方向の伸長率のいずれよりも低い請求項１〜請求項９のいずれか１項に記載の衣類。
【請求項１１】
前記筒型の関節用サポーター部において前記着圧付与領域の中心ＸＸを中心とする半周側を前面側とし、残りの半周側を後面側とした場合において、
前記着圧付与領域の中心ＸＸを中心とする測定範囲ＸＸ１、前記中央領域の後面側の中心ＸＹから軸方向に延ばした延長線上であって前記一端側領域における軸方向の中心である位置ＸＴを中心とする測定範囲ＸＴ１、及び前記中央領域の後面側の中心ＸＹから軸方向に延ばした延長線上であって前記他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって軸方向の伸長率を測定したときに、
前記測定範囲ＸＸ１の軸方向の伸長率が、前記測定範囲ＸＴ１の軸方向の伸長率及び前記測定範囲ＸＳ１の軸方向の伸長率のいずれよりも低い請求項１〜請求項１０のいずれか１項に記載の衣類。
【請求項１２】
脚の膝を含む部分に着用され、前記膝をサポートする膝サポート部、前記脚の前記膝に対して太腿側をサポートする太腿側サポート部、及び前記脚の前記膝に対して脛側をサポートする脛側サポート部を含む筒型のサポーター本体を備え、
前記膝サポート部の平均着圧Ａと前記太腿側サポート部及び前記脛側サポート部の平均着圧Ｂとが、前記平均着圧Ａ＞前記平均着圧Ｂの関係を満たし、
前記太腿側サポート部及び前記脛側サポート部のうちの少なくとも一部の領域Ｒについて、つかみ幅１５ｍｍ、つかみ間隔１５ｍｍ、及び引張荷重２０Ｎの条件の引張試験によって測定された軸方向の伸長率及び周方向の伸長率が、前記軸方向の伸長率＞前記周方向の伸長率の関係を満たす膝用サポーター。
【請求項１３】
前記平均着圧Ａと前記平均着圧Ｂとが、前記平均着圧Ａ−前記平均着圧Ｂ≧０．８ｋＰａの関係を満たす請求項１２に記載の膝用サポーター。
【請求項１４】
前記領域Ｒの前記軸方向の伸長率が、１５０％以上である請求項１２又は請求項１３に記載の膝用サポーター。
【請求項１５】
脚の膝を含む部分に着用され、前記膝をサポートする膝サポート部、前記脚の前記膝に対して太腿側をサポートする太腿側サポート部、及び前記脚の前記膝に対して脛側をサポートする脛側サポート部を含む筒型のサポーター本体を備え、
前記膝サポート部の平均着圧Ａと前記太腿側サポート部及び前記脛側サポート部の平均着圧Ｂとが、前記平均着圧Ａ＞前記平均着圧Ｂの関係を満たし、
前記太腿側サポート部及び前記脛側サポート部のうちの少なくとも一部の領域Ｒについて、つかみ幅１５ｍｍ、つかみ間隔１５ｍｍ、及び引張荷重２０Ｎの条件の引張試験によって測定された軸方向の伸長率が、１５０％以上である膝用サポーター。
【請求項１６】
前記平均着圧Ａと前記平均着圧Ｂとが、前記平均着圧Ａ−前記平均着圧Ｂ≧０．８ｋＰａの関係を満たす請求項１５に記載の膝用サポーター。
【請求項１７】
脚の膝を含む部分に着用され、前記膝をサポートする膝サポート部、前記脚の前記膝に対して太腿側をサポートする太腿側サポート部、及び前記脚の前記膝に対して脛側をサポートする脛側サポート部を含む筒型のサポーター本体を備え、
前記膝サポート部の平均着圧Ａと前記太腿側サポート部及び前記脛側サポート部の平均着圧Ｂとが、前記平均着圧Ａ＞前記平均着圧Ｂの関係を満たし、
前記膝サポート部を、前記膝サポート部における膝蓋骨の中心に相当する位置Ｘと前記膝サポート部における膝窩部の中心に相当する位置Ｙとの距離が長くなる方向に５ｋｇの力で伸ばした場合に、前記膝サポート部の伸び率が１８０％〜２８０％である膝用サポーター。
【請求項１８】
前記膝サポート部における膝蓋骨の中心に相当する位置Ｘを中心とする測定範囲Ｘ１、膝窩部の中心に相当する位置Ｙから軸方向に延ばした延長線上であって前記太腿側サポート部における軸方向の中心である位置Ｔを中心とする測定範囲Ｔ１、及び膝窩部の中心に相当する位置Ｙから軸方向に延ばした延長線上であって前記脛側サポート部における軸方向の中心である位置Ｓを中心とする測定範囲Ｓ１の各々について、つかみ幅１５ｍｍ、つかみ間隔１５ｍｍ、及び引張荷重２０Ｎの条件の引張試験によって軸方向の伸長率を測定したときに、
前記測定範囲Ｘ１の軸方向の伸長率が、前記測定範囲Ｔ１の軸方向の伸長率及び前記測定範囲Ｓ１の軸方向の伸長率のいずれよりも低い請求項１７に記載の膝用サポーター。
【請求項１９】
前記膝サポート部における膝蓋骨の中心に相当する位置Ｘ、前記膝サポート部における膝窩部の中心に相当する位置Ｙ、及び、前記位置Ｘと前記位置Ｙとの中間位置の合計３点について、それぞれ、つかみ幅１５ｍｍ、つかみ間隔１５ｍｍ、及び引張荷重２０Ｎの条件の引張試験によって周方向の伸長率を測定した場合に、３つの測定値の全てが１００％〜２５０％の範囲に含まれ、３つの測定値における最大値と最小値との差が０％〜８０％である請求項１７又は請求項１８に記載の膝用サポーター。
【請求項２０】
前記平均着圧Ｂが、０．１ｋＰａ以上である請求項１２〜請求項１９のいずれか１項に記載の膝用サポーター。
【請求項２１】
前記平均着圧Ａと前記太腿側サポート部の平均着圧Ｂ１とが、前記平均着圧Ａ＞前記平均着圧Ｂ１の関係を満たし、
前記平均着圧Ａと前記脛側サポート部の平均着圧Ｂ２とが、前記平均着圧Ａ＞前記平均着圧Ｂ２の関係を満たす請求項１２〜請求項２０のいずれか１項に記載の膝用サポーター。
【請求項２２】
前記膝サポート部における膝蓋骨の中心に相当する位置Ｘを中心とする測定範囲Ｘ１、膝窩部の中心に相当する位置Ｙから軸方向に延ばした延長線上であって前記太腿側サポート部における軸方向の中心である位置Ｔを中心とする測定範囲Ｔ１、及び膝窩部の中心に相当する位置Ｙから軸方向に延ばした延長線上であって前記脛側サポート部における軸方向の中心である位置Ｓを中心とする測定範囲Ｓ１の各々について、つかみ幅１５ｍｍ、つかみ間隔１５ｍｍ、及び引張荷重２０Ｎの条件の引張試験によって周方向の伸長率を測定したときに、
前記測定範囲Ｘ１の周方向の伸長率が、前記測定範囲Ｔ１の周方向の伸長率及び前記測定範囲Ｓ１の周方向の伸長率のいずれよりも低い請求項１２〜請求項２１のいずれか１項に記載の膝用サポーター。
【発明の詳細な説明】
【技術分野】
【０００１】
本発明は、関節用サポーター部を備える衣類、及び膝用サポーターに関する。
【背景技術】
【０００２】
現在、種々な膝用サポーターが知られている。
例えば、着用操作が容易で、痛みに応じて適切な箇所を重点的に圧迫、固定、保温等することができ、簡単な製造工程で製作可能な膝サポーターとして、膝蓋骨周囲を被覆する部位に、異なる伸長性を有する複数の領域が編み分け編成されて設けられ、前記部位の少なくとも一部が、該部位以外の領域に比べて低い伸長性を有する低伸長性領域とされた膝サポーターが知られている（例えば、下記特許文献１参照）。
また、膝の伸展と屈曲を繰り返した場合でも、ずれることなくフィットした状態を保持することができるサポーターとして、主構成部分がストレッチ素材で形成される膝用サポーターであって、サポーター前面上部部材、サポーター前面下部部材及びサポーター後面部部材を含む部材でサポーター本体が構成され、前記サポーター前面上部部材は膝蓋骨領域を含み、前記サポーター前面上部部材の縦方向の伸長率をＡ１、横方向の伸長率をＢ１とし、サポーター後面部部材の縦方向の伸長率をＡ２、横方向の伸長率をＢ２とした場合、Ａ１＞Ｂ１であり、かつＡ２＜Ｂ２である膝用サポーターが知られている（例えば、下記特許文献２参照）。
また、膝蓋靭帯を圧迫し、かつ、膝蓋骨を保持して、膝関節を良好に固定するコンプレッションサポーターとして、伸縮性素材より成り膝部に着用し得る形態の本体を具備し、上記本体よりも伸縮性の低い低伸縮領域を本体に設け、上記低伸縮領域と本体の伸縮性の相違により膝関節部及び周囲筋腱をサポートするサポーターであって、低伸縮領域として、膝蓋靭帯を圧迫するために、膝蓋骨の下部を取り囲むほぼＵ字型に、本体正面に設けた正面吊り領域を具備し、上記低伸縮領域は、樹脂より成る低伸縮性材料を本体に固着した構成を有しているコンプレッションサポーターが知られている（例えば、下記特許文献３参照）。
また、膝関節部周辺の皮膚の動きに追従し、ずれにくく、且つ着用性を良好にする膝関節用サポーターとして、本体の膝関節中心から上下１０ｃｍ以内をスリーブ状に形成し、本体の前面部は縦方向に低モジュラスで伸縮性の高い素材で構成し、本体の膝関節中心から１０ｃｍ以上の個所の少なくとも前面上部に切欠きを設け、この切欠きに跨がって本体の周方向の圧迫力を調整可能な部材を設けた膝関節用サポーターが知られている（例えば、下記特許文献４参照）。
また、適度の着圧性を有し、しかも締めすぎて痛くはなく、また膝の屈伸運動性のよい膝サポーターとして、上下にずり落ち防止用の締付部と膝関節皿部と襷状に囲むＸ字型部とその他の部分の編地部を有する膝関節用サポーターであって、膝関節皿部は着圧がもっとも弱い編地であり、たすき状に囲むＸ字型部は圧迫性編地であり、その他の部分の編地部は膝関節の曲げ伸ばしを容易に行える緩衝編地からなる膝関節用サポーターが知られている（例えば、下記特許文献５参照）。
【０００３】
特許文献１：特開２０１１−１３０７８４号公報
特許文献２：特開２００７−９３６２号公報
特許文献３：特開２０１０−１３７６５号公報
特許文献４：特開２０００−１１６６９７号公報
特許文献５：特開２００７−５４１２６号公報
【発明の概要】
【発明が解決しようとする課題】
【０００４】
しかし、膝用サポーターに関し、脚の膝を含む部分に着用されたときのサポート感及びフィット感をより向上させることが望まれている。
本発明者等の検討により、膝用サポーターが、膝をサポートする膝サポート部、脚の膝に対して太腿側をサポートする太腿側サポート部、及び脚の膝に対して脛側をサポートする脛側サポート部を含む筒型のサポーター本体を備え、かつ、膝サポート部の平均着圧Ａと太腿側サポート部及び脛側サポート部の平均着圧Ｂとが、平均着圧Ａ＞平均着圧Ｂの関係を満たす場合に、サポート感及びフィット感が特に向上することが判明した。
更に、本発明者等の検討により、平均着圧Ａ＞平均着圧Ｂの関係を満たす場合、サポート感及びフィット感は向上するものの、膝関節の曲げ伸ばし動作に対する膝用サポーターの追従性（以下、「動作追従性」ともいう）が損なわれる場合があることも判明した。
【０００５】
本発明の実施形態の第１態様及び第２態様の目的は、脚の膝を含む部分に着用されたときに、サポート感及びフィット感に優れ、かつ、膝関節の曲げ伸ばし動作に対する追従性（動作追従性）に優れる膝用サポーターを提供することである。
また、本発明の実施形態の第３態様の目的は、脚の膝を含む部分に着用されたときに、サポート感及びフィット感に優れ、かつ、膝関節の曲げ伸ばしのし易さに優れる膝用サポーターを提供することである。
また、本発明の実施形態の第４態様の目的は、関節に着用されたときに、サポート感及びフィット感に優れ、かつ、肌ストレスが軽減される関節用サポーター部を備える衣類を提供することである。
【課題を解決するための手段】
【０００６】
上記課題を解決するための具体的手段は以下の通りである。
第１態様は、下記＜２５＞に記載の膝用サポーターである。
第２態様は、下記＜２９＞に記載の膝用サポーターである。
第３態様は、下記＜３３＞に記載の膝用サポーターである。
第４態様は、下記＜１＞に記載の関節用サポーター部を備える衣類である。
第１態様の範囲、第２態様の範囲、第３態様の範囲、及び第４態様の範囲のうちの少なくとも２つは、重複部分を有していてもよい。また、第１〜第４態様の各々の特徴は、適宜組み合わせることができる。
【０００７】
＜１＞  筒型の関節用サポーター部を備える衣類であって、
前記筒型の関節用サポーター部が、身体の関節部位に対して着圧を付与するための着圧付与領域を含む前記筒型の関節用サポーター部の軸方向の中央領域と、前記中央領域に対して前記軸方向の一端側に位置する一端側領域と、前記中央領域に対して前記軸方向の他端側に位置する他端側領域と、を含み、
前記着圧付与領域の着圧が、前記一端側領域及び前記他端側領域の平均着圧よりも高く、
前記筒型の関節用サポーター部における前記着圧付与領域以外の領域が、凹凸組織からなる凹凸組織領域を含む衣類。
＜２＞  前記凹凸組織からなる凹凸組織領域が、凹凸編地からなる凹凸編地領域である＜１＞に記載の衣類。
＜３＞  前記着圧付与領域及び前記凹凸編地領域は、つかみ幅１５ｍｍ、つかみ間隔１５ｍｍ、及び引張荷重２０Ｎの条件の引張試験によって測定された前記軸方向の伸長率が、前記凹凸編地領域＞前記着圧付与領域の関係を満たす＜２＞に記載の衣類。
＜４＞  前記凹凸編地が、フロート編み組織を含む＜２＞又は＜３＞に記載の衣類。
＜５＞  前記凹凸編地領域は、
前記筒型のサポーター部の軸方向及び周方向のうちの一方向に伸長率２００％にて伸長させたときに、前記一方向の弾性率が、０．１Ｎ／ｍｍ２未満である＜２＞〜＜４＞のいずれか１項に記載の衣類。
＜６＞  前記凹凸編地領域は、
前記筒型のサポーター部の軸方向及び周方向のうちの一方向に伸長率２００％にて伸長させたときに、前記一方向の弾性率が、０．１Ｎ／ｍｍ２未満であり、
前記筒型のサポーター部の軸方向及び周方向のうちの他方向に伸長率２００％にて伸長させたときに、前記他方向の弾性率が、０．１Ｎ／ｍｍ２〜０．５Ｎ／ｍｍ２である＜２＞〜＜５＞のいずれか１項に記載の衣類。
＜７＞  前記凹凸編地領域は、つかみ幅１５ｍｍ、つかみ間隔１５ｍｍ、及び引張荷重２０Ｎの条件の引張試験によって測定された前記筒型のサポーター部の軸方向の伸長率及び前記筒型のサポーター部の周方向の伸長率が、前記軸方向の伸長率＞前記周方向の伸長率の関係を満たす＜２＞〜＜６＞のいずれか１項に記載の衣類。
＜８＞  前記一端側領域及び前記他端側領域の少なくとも一方が、前記凹凸編地領域を含む＜２＞〜＜７＞のいずれか１項に記載の衣類。
＜９＞  前記一端側領域及び前記他端側領域の少なくとも一方が、更に、前記凹凸編地領域よりも前記軸方向の弾性率が高い領域を含み、
前記凹凸編地領域と、前記凹凸編地領域よりも前記軸方向の弾性率が高い領域と、が前記筒型のサポーター部の周方向に配置されている＜８＞に記載の衣類。
＜１０＞  前記筒型のサポーター部において、前記着圧付与領域の中心ＸＸを中心とする半周側を前面側とし、残りの半周側を後面側とした場合に、
前記一端側領域の後面側及び前記他端側領域の後面側の少なくとも一方が、前記凹凸編地領域を含む＜２＞〜＜９＞のいずれか１項に記載の衣類。
【０００８】
＜１１＞  前記一端側領域の後面側が前記凹凸編地領域を含む場合には、つかみ幅１５ｍｍ、つかみ間隔１５ｍｍ、及び引張荷重２０Ｎの条件の引張試験によって測定された前記軸方向の伸長率が、前記一端側領域の後面側の前記凹凸編地領域＞前記一端側領域の前面側の関係を満たし、
前記他端側領域の後面側が前記凹凸編地領域を含む場合には、前記条件の引張試験によって測定された前記軸方向の伸長率が、前記他端側領域の後面側の前記凹凸編地領域＞前記他端側領域の前面側の関係を満たす＜１０＞に記載の衣類。
＜１２＞  前記中央領域が、膝関節、肘関節、手指関節、又は足指関節に着用される＜１＞〜＜１１＞のいずれか１項に記載の衣類。
＜１３＞  前記中央領域が、膝関節に着用される＜１＞〜＜１２＞のいずれか１項に記載の衣類。
【０００９】
＜１４＞  前記中央領域の平均着圧ＸＡと前記一端側領域及び前記他端側領域の平均着圧ＸＢとが、前記平均着圧ＸＡ＞前記平均着圧ＸＢの関係を満たす＜１３＞に記載の衣類。
＜１５＞  前記平均着圧ＸＡと前記平均着圧ＸＢとが、前記平均着圧ＸＡ−前記平均着圧ＸＢ≧０．８ｋＰａの関係を満たす＜１４＞に記載の衣類。
＜１６＞  前記凹凸組織からなる凹凸組織領域が、凹凸編地からなる凹凸編地領域であり、前記凹凸編地領域について、つかみ幅１５ｍｍ、つかみ間隔１５ｍｍ、及び引張荷重２０Ｎの条件の引張試験によって測定された前記軸方向の伸長率が、１５０％以上である＜２＞〜＜１５＞のいずれか１項に記載の衣類。
＜１７＞  前記筒型の関節用サポーター部において前記着圧付与領域の中心ＸＸを中心とする半周側を前面側とし、残りの半周側を後面側とした場合において、
前記中央領域を、前記着圧付与領域の中心ＸＸと前記中央領域の後面側の中心ＸＹとの距離が長くなる方向に５ｋｇの力で伸ばした場合に、前記中央領域の伸び率が１８０％〜２８０％である＜１＞〜＜１６＞のいずれか１項に記載の衣類。
＜１８＞  前記筒型の関節用サポーター部において前記着圧付与領域の中心ＸＸを中心とする半周側を前面側とし、残りの半周側を後面側とした場合において、
前記着圧付与領域の中心ＸＸ、前記中央領域の後面側の中心ＸＹ、及び、前記中心ＸＸと前記中心ＸＹとの中間位置の合計３点について、それぞれ、つかみ幅１５ｍｍ、つかみ間隔１５ｍｍ、及び引張荷重２０Ｎの条件の引張試験によって周方向の伸長率を測定した場合に、３つの測定値の全てが１００％〜２５０％の範囲に含まれ、３つの測定値における最大値と最小値との差が０％〜８０％である＜１＞〜＜１７＞のいずれか１項に記載の衣類。
＜１９＞  前記中央領域の平均着圧ＸＡが、２．６ｋＰａ以上である＜１３＞〜＜１５＞のいずれか１項に記載の衣類。
【００１０】
＜２０＞  前記筒型の関節用サポーター部において前記着圧付与領域の中心ＸＸを中心とする半周側を前面側とし、残りの半周側を後面側とした場合において、
前記着圧付与領域の中心ＸＸを中心とする測定範囲ＸＸ１、前記中央領域の後面側の中心ＸＹから軸方向に延ばした延長線上であって前記一端側領域における軸方向の中心である位置ＸＴを中心とする測定範囲ＸＴ１、及び前記中央領域の後面側の中心ＸＹから軸方向に延ばした延長線上であって前記他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって周方向の伸長率を測定したときに、
前記測定範囲ＸＸ１の周方向の伸長率が、前記測定範囲ＸＴ１の周方向の伸長率及び前記測定範囲ＸＳ１の周方向の伸長率のいずれよりも低い＜１＞〜＜１９＞のいずれか１項に記載の衣類。
＜２１＞  前記筒型の関節用サポーター部において前記着圧付与領域の中心ＸＸを中心とする半周側を前面側とし、残りの半周側を後面側とした場合において、
前記着圧付与領域の中心ＸＸを中心とする測定範囲ＸＸ１、前記中央領域の後面側の中心ＸＹから軸方向に延ばした延長線上であって前記一端側領域における軸方向の中心である位置ＸＴを中心とする測定範囲ＸＴ１、及び前記中央領域の後面側の中心ＸＹから軸方向に延ばした延長線上であって前記他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって軸方向の伸長率を測定したときに、
前記測定範囲ＸＸ１の軸方向の伸長率が、前記測定範囲ＸＴ１の軸方向の伸長率及び前記測定範囲ＸＳ１の軸方向の伸長率のいずれよりも低い＜１＞〜＜２０＞のいずれか１項に記載の衣類。
＜２２＞  前記筒型の関節用サポーター部の全体の構造は、シームレス構造である＜１＞〜＜２１＞のいずれか１項に記載の衣類。
＜２３＞  前記筒型の関節用サポーター部は、更に、
前記一端側領域から見て前記中央領域の反対側に配置された一端側口ゴム部、及び、前記他端側領域から見て前記中央領域の反対側に配置された他端側口ゴム部を含む＜１＞〜＜２２＞のいずれか１項に記載の衣類。
＜２４＞  更に、前記筒型の関節用サポーター部の一部を身体の一部に固定するための固定ベルトを備える＜１＞〜＜２３＞のいずれか１項に記載の衣類。
【００１１】
＜２５＞  脚の膝を含む部分に着用され、前記膝をサポートする膝サポート部、前記脚の前記膝に対して太腿側をサポートする太腿側サポート部、及び前記脚の前記膝に対して脛側をサポートする脛側サポート部を含む筒型のサポーター本体を備え、
前記膝サポート部の平均着圧Ａと前記太腿側サポート部及び前記脛側サポート部の平均着圧Ｂとが、前記平均着圧Ａ＞前記平均着圧Ｂの関係を満たし、
前記太腿側サポート部及び前記脛側サポート部のうちの少なくとも一部の領域Ｒについて、つかみ幅１５ｍｍ、つかみ間隔１５ｍｍ、及び引張荷重２０Ｎの条件の引張試験によって測定された軸方向の伸長率及び周方向の伸長率が、前記軸方向の伸長率＞前記周方向の伸長率の関係を満たす膝用サポーター。
＜２６＞  前記平均着圧Ａと前記平均着圧Ｂとが、前記平均着圧Ａ−前記平均着圧Ｂ≧０．８ｋＰａの関係を満たす＜２５＞に記載の膝用サポーター。
＜２７＞  前記平均着圧Ａと前記平均着圧Ｂとが、前記平均着圧Ａ−前記平均着圧Ｂ≧１．０ｋＰａの関係を満たす＜２５＞又は＜２６＞に記載の膝用サポーター。
＜２８＞  前記軸方向の伸長率が、１５０％以上である＜２５＞〜＜２７＞のいずれか１項に記載の膝用サポーター。
【００１２】
＜２９＞  脚の膝を含む部分に着用され、前記膝をサポートする膝サポート部、前記脚の前記膝に対して太腿側をサポートする太腿側サポート部、及び前記脚の前記膝に対して脛側をサポートする脛側サポート部を含む筒型のサポーター本体を備え、
前記膝サポート部の平均着圧Ａと前記太腿側サポート部及び前記脛側サポート部の平均着圧Ｂとが、前記平均着圧Ａ＞前記平均着圧Ｂの関係を満たし、
前記太腿側サポート部及び前記脛側サポート部のうちの少なくとも一部の領域Ｒについて、つかみ幅１５ｍｍ、つかみ間隔１５ｍｍ、及び引張荷重２０Ｎの条件の引張試験によって測定された軸方向の伸長率が、１５０％以上である膝用サポーター。
＜３０＞  前記平均着圧Ａと前記平均着圧Ｂとが、前記平均着圧Ａ−前記平均着圧Ｂ≧０．８ｋＰａの関係を満たす＜２９＞に記載の膝用サポーター。
＜３１＞  前記平均着圧Ａと前記平均着圧Ｂとが、前記平均着圧Ａ−前記平均着圧Ｂ≧１．０ｋＰａの関係を満たす＜２９＞又は＜３０＞に記載の膝用サポーター。
＜３２＞  前記領域Ｒは、膝窩部の中心に相当する位置Ｙから軸方向に延ばした延長線を中心として幅１００ｍｍの範囲を少なくとも含む＜２５＞〜＜３１＞のいずれか１項に記載の膝用サポーター。
【００１３】
＜３３＞  脚の膝を含む部分に着用され、前記膝をサポートする膝サポート部、前記脚の前記膝に対して太腿側をサポートする太腿側サポート部、及び前記脚の前記膝に対して脛側をサポートする脛側サポート部を含む筒型のサポーター本体を備え、
前記膝サポート部の平均着圧Ａと前記太腿側サポート部及び前記脛側サポート部の平均着圧Ｂとが、前記平均着圧Ａ＞前記平均着圧Ｂの関係を満たし、
前記膝サポート部を、前記膝サポート部における膝蓋骨の中心に相当する位置Ｘと前記膝サポート部における膝窩部の中心に相当する位置Ｙとの距離が長くなる方向に５ｋｇの力で伸ばした場合に、前記膝サポート部の伸び率が１８０％〜２８０％である膝用サポーター。
この＜３３＞に係る膝用サポーターは、＜２５＞〜＜３２＞のいずれか１項に記載の膝用サポーターであることが好ましい。即ち、＜２５＞〜＜３２＞のいずれか１項に記載の膝用サポーターにおいて、前記膝サポート部を、前記膝サポート部における膝蓋骨の中心に相当する位置Ｘと前記膝サポート部における膝窩部の中心に相当する位置Ｙとの距離が長くなる方向に５ｋｇの力で伸ばした場合に、前記膝サポート部の伸び率が１８０％〜２８０％であることが好ましい。
【００１４】
＜３４＞  前記膝サポート部における膝蓋骨の中心に相当する位置Ｘ、前記膝サポート部における膝窩部の中心に相当する位置Ｙ、及び、前記位置Ｘと前記位置Ｙとの中間位置の合計３点について、それぞれ、つかみ幅１５ｍｍ、つかみ間隔１５ｍｍ、及び引張荷重２０Ｎの条件の引張試験によって周方向の伸長率を測定した場合に、３つの測定値の全てが１００％〜２５０％の範囲に含まれ、３つの測定値における最大値と最小値との差が０％〜８０％である＜３３＞に記載の膝用サポーター。
【００１５】
＜３５＞  前記平均着圧Ｂが、０．１ｋＰａ以上である＜２５＞〜＜３４＞のいずれか１項に記載の膝用サポーター。
＜３６＞  前記平均着圧Ａが、２．６ｋＰａ以上である＜２５＞〜＜３５＞のいずれか１項に記載の膝用サポーター。
＜３７＞  前記平均着圧Ａと前記太腿側サポート部の平均着圧Ｂ１とが、前記平均着圧Ａ＞前記平均着圧Ｂ１の関係を満たし、
前記平均着圧Ａと前記脛側サポート部の平均着圧Ｂ２とが、前記平均着圧Ａ＞前記平均着圧Ｂ２の関係を満たす＜２５＞〜＜３６＞のいずれか１項に記載の膝用サポーター。
＜３８＞  前記平均着圧Ａと前記太腿側サポート部の平均着圧Ｂ１とが、平均着圧Ａ−平均着圧Ｂ１≧０．８ｋＰａの関係を満たし、
前記平均着圧Ａと前記脛側サポート部の平均着圧Ｂ２とが、平均着圧Ａ−平均着圧Ｂ２≧０．８ｋＰａの関係を満たす＜２５＞〜＜３７＞のいずれか１項に記載の膝用サポーター。
＜３９＞  前記平均着圧Ａと前記太腿側サポート部の平均着圧Ｂ１とが、平均着圧Ａ−平均着圧Ｂ１≧１．０ｋＰａの関係を満たし、
前記平均着圧Ａと前記脛側サポート部の平均着圧Ｂ２とが、平均着圧Ａ−平均着圧Ｂ２≧１．０ｋＰａの関係を満たす＜２５＞〜＜３８＞のいずれか１項に記載の膝用サポーター。
＜４０＞  前記膝サポート部は、軸方向長さが６０ｍｍ〜２００ｍｍであり、
前記太腿側サポート部は、軸方向長さが３０ｍｍ〜２００ｍｍであり、
前記脛側サポート部は、軸方向長さが３０ｍｍ〜２００ｍｍである＜２５＞〜＜３９＞のいずれか１項に記載の膝用サポーター。
【００１６】
＜４１＞  前記膝サポート部における膝蓋骨の中心に相当する位置Ｘを中心とする測定範囲Ｘ１、膝窩部の中心に相当する位置Ｙから軸方向に延ばした延長線上であって前記太腿側サポート部における軸方向の中心である位置Ｔを中心とする測定範囲Ｔ１、及び膝窩部の中心に相当する位置Ｙから軸方向に延ばした延長線上であって前記脛側サポート部における軸方向の中心である位置Ｓを中心とする測定範囲Ｓ１の各々について、つかみ幅１５ｍｍ、つかみ間隔１５ｍｍ、及び引張荷重２０Ｎの条件の引張試験によって周方向の伸長率を測定したときに、
前記測定範囲Ｘ１の周方向の伸長率が、前記測定範囲Ｔ１の周方向の伸長率及び前記測定範囲Ｓ１の周方向の伸長率のいずれよりも低い＜２５＞〜＜４０＞のいずれか１項に記載の膝用サポーター。
＜４２＞  前記膝サポート部における膝蓋骨の中心に相当する位置Ｘを中心とする測定範囲Ｘ１、膝窩部の中心に相当する位置Ｙから軸方向に延ばした延長線上であって前記太腿側サポート部における軸方向の中心である位置Ｔを中心とする測定範囲Ｔ１、及び膝窩部の中心に相当する位置Ｙから軸方向に延ばした延長線上であって前記脛側サポート部における軸方向の中心である位置Ｓを中心とする測定範囲Ｓ１の各々について、つかみ幅１５ｍｍ、つかみ間隔１５ｍｍ、及び引張荷重２０Ｎの条件の引張試験によって軸方向の伸長率を測定したときに、
前記測定範囲Ｘ１の軸方向の伸長率が、前記測定範囲Ｔ１の軸方向の伸長率及び前記測定範囲Ｓ１の軸方向の伸長率のいずれよりも低い＜２５＞〜＜４１＞のいずれか１項に記載の膝用サポーター。
【００１７】
＜４３＞  少なくとも、前記太腿側サポート部、前記膝サポート部、及び前記脛側サポート部は、丸編みによって連続的に製造されたものである＜２５＞〜＜４２＞のいずれか１項に記載の膝用サポーター。
＜４４＞  少なくとも、前記太腿側サポート部、前記膝サポート部、及び前記脛側サポート部の全体の構造が、シームレス構造である＜２５＞〜＜４３＞のいずれか１項に記載の膝用サポーター。
＜４５＞  前記筒型のサポーター本体は、更に、
前記太腿側サポート部から見て前記膝サポート部の反対側に配置された太腿側口ゴム部、及び、前記脛側サポート部から見て前記膝サポート部の反対側に配置された脛側口ゴム部を含む＜２５＞〜＜４４＞のいずれか１項に記載の膝用サポーター。
【発明の効果】
【００１８】
本発明の実施形態の第１態様及び第２態様によれば、脚の膝を含む部分に着用されたときに、サポート感及びフィット感に優れ、かつ、膝関節の曲げ伸ばし動作に対する追従性（動作追従性）に優れる膝用サポーターが提供される。
本発明の実施形態の第３態様によれば、脚の膝を含む部分に着用されたときに、サポート感及びフィット感に優れ、かつ、膝関節の曲げ伸ばしのし易さに優れる膝用サポーターが提供される。
本発明の実施形態の第４態様によれば、関節部位に着用されたときに、サポート感及びフィット感に優れ、かつ、肌ストレスが軽減される関節用サポーター部を備える衣類（以下、「衣類」ともいう）を提供することである。
【図面の簡単な説明】
【００１９】
【図１】第１態様及び第２態様の具体例に係る膝用サポーター（サポーター本体）が脚の膝を含む部分に着用された状態を側方から見た概略図である。
【図２】第１態様及び第２態様の具体例に係る膝用サポーター（サポーター本体）が脚の膝を含む部分に着用された状態を膝窩部側から見た概略図である。
【図３】第１態様及び第２態様の具体例に係る膝用サポーター（サポーター本体）が脚に着用されていない状態を示す正面図である。
【図４】第１態様及び第２態様の具体例に係る膝用サポーター（サポーター本体）が脚に着用されていない状態を示す背面図である。
【図５】試験例１において、マネキンに対するセンサー取り付け位置を示す写真であり、マネキンの脚の正面（膝蓋骨の側）から撮影した写真である。
【図６】試験例１において、マネキンに対するセンサー取り付け位置を示す写真であり、マネキンの脚の斜め後ろ側から撮影した写真である。
【図７】第１態様及び第２態様の具体例に係る膝用サポーターを、その右側と左側とが重なるようにして平置きした様子を示す概念図である。
【図８】第１態様及び第２態様の具体例に係る膝用サポーターを、位置Ｘと位置Ｙとの距離が離れる方向に引き伸ばした様子を示す概念図である。
【図９】第４態様の衣類の具体例であるサポーターを概念的に示す正面図である。
【図１０】第４態様の衣類の具体例であるサポーターを概念的に示す背面図である。
【図１１】図１０中の破線で囲った部分の拡大図（即ち、凹凸編地の拡大図）である。
【図１２】図１１のＡ−Ａ線端面図である。
【図１３】第４態様の衣類の別の具体例であるサポーターを概念的に示す背面図である。
【図１４】第４態様の衣類の更に別の具体例であるサポーターを概念的に示す背面図である。
【発明を実施するための形態】
【００２０】
以下、本発明の実施形態の第１〜第４態様について説明する。
本明細書中において、「〜」を用いて表される数値範囲は、「〜」の前後に記載される数値を下限値及び上限値として含む範囲を意味する。
また、本明細書中において、「筒型のサポーター本体の軸方向」は、筒型のサポーター本体の形状を筒形状に維持したときの筒形状の軸方向を指す。本明細書中では、「筒型のサポーター本体の軸方向」を、単に「軸方向」ということがある。本明細書中における「軸方向」は、膝用サポーターの技術分野において「縦方向」と呼ばれることがある方向であり、筒型のサポーター本体に対して脚が挿入される方向ということもできる。
また、本明細書中において、「筒型のサポーター本体の周方向」は、筒型のサポーター本体の形状の筒形状に維持したときの周方向を指す。本明細書中では、「筒型のサポーター本体の周方向」を、単に「周方向」ということがある。本明細書中における「周方向」は、膝用サポーターの技術分野において「横方向」と呼ばれることがある方向である。
また、本明細書中では、脚の膝蓋骨の側を、「正面」又は「前面」と称することがあり、脚の膝窩部（いわゆる膝裏）の側を、「背面」又は「後面」と称することがある。
また、本明細書中では、膝蓋骨から見て股関節側の方向を「上」と称し、膝蓋骨から見て踝側の方向を「下」と称することがある。
また、本明細書中では、平均着圧Ａから平均着圧Ｂを差し引いた値（即ち、平均着圧Ａ−平均着圧Ｂの値）を「着圧差〔平均着圧Ａ−平均着圧Ｂ〕」ということがあり、平均着圧Ａから平均着圧Ｂ１を差し引いた値（即ち、平均着圧Ａ−平均着圧Ｂ１の値）を「着圧差〔平均着圧Ａ−平均着圧Ｂ１〕」ということがあり、平均着圧Ａから平均着圧Ｂ２を差し引いた値（即ち、平均着圧Ａ−平均着圧Ｂ２の値）を「着圧差〔平均着圧Ａ−平均着圧Ｂ２〕」ということがある。
【００２１】
〔第１態様及び第２態様〕
本実施形態の第１態様に係る膝用サポーターは、脚の膝を含む部分に着用され、膝をサポートする膝サポート部、脚の膝に対して太腿側をサポートする太腿側サポート部、及び脚の膝に対して脛側をサポートする脛側サポート部を含む筒型のサポーター本体を備え、膝サポート部の平均着圧Ａと太腿側サポート部及び脛側サポート部の平均着圧Ｂとが、平均着圧Ａ＞平均着圧Ｂの関係を満たし、太腿側サポート部及び脛側サポート部のうちの少なくとも一部の領域Ｒについて、つかみ幅１５ｍｍ、つかみ間隔１５ｍｍ、及び引張荷重２０Ｎの条件の引張試験によって測定された軸方向の伸長率及び周方向の伸長率が、軸方向の伸長率＞周方向の伸長率の関係を満たす。
【００２２】
第１態様に係る膝用サポーターは、上記軸方向の伸長率が、１５０％以上であることが好ましい。
【００２３】
本実施形態の第２態様に係る膝用サポーターは、脚の膝を含む部分に着用され、膝をサポートする膝サポート部、脚の膝に対して太腿側をサポートする太腿側サポート部、及び脚の膝に対して脛側をサポートする脛側サポート部を含む筒型のサポーター本体を備え、膝サポート部の平均着圧Ａと太腿側サポート部及び脛側サポート部の平均着圧Ｂとが、平均着圧Ａ＞平均着圧Ｂの関係の関係を満たし、太腿側サポート部及び脛側サポート部のうちの少なくとも一部の領域Ｒについて、つかみ幅１５ｍｍ、つかみ間隔１５ｍｍ、及び引張荷重２０Ｎの条件の引張試験によって測定された軸方向の伸長率が、１５０％以上である。
【００２４】
本発明者等の検討により、膝用サポーターが、膝をサポートする膝サポート部、脚の膝に対して太腿側をサポートする太腿側サポート部、及び脚の膝に対して脛側をサポートする脛側サポート部を含む筒型のサポーター本体を備え、かつ、膝サポート部の平均着圧Ａと太腿側サポート部及び脛側サポート部の平均着圧Ｂとが、平均着圧Ａ＞平均着圧Ｂの関係を満たす場合（即ち、膝サポート部の平均着圧Ａが太腿側サポート部及び脛側サポート部の平均着圧Ｂよりも高い場合）に、着用者の体感として、脚に対するサポート感及びフィット感が特に向上することが明らかとなった。
この理由は明らかではないが、平均着圧Ａ＞平均着圧Ｂの関係を満たすことにより、この膝用サポーターを着用した着用者が、膝サポート部によってサポートされている膝において、実際の平均着圧Ａよりも高い着圧でサポートされている感覚（即ち、錯覚）を持つためと考えられる。
【００２５】
更に、本発明者等の検討により、平均着圧Ａ＞平均着圧Ｂの関係を満たす場合、サポート感及びフィット感は向上するものの、膝関節の曲げ伸ばし動作に対する膝用サポーターの追従性（以下、「動作追従性」ともいう）が損なわれる場合があることも判明した。
本発明者等は、更に検討した結果、平均着圧Ａ＞平均着圧Ｂの関係を満たす場合であっても、太腿側サポート部及び脛側サポート部のうちの少なくとも一部の領域Ｒについて、下記（１）及び（２）の少なくとも一方を満たすことにより、着用者の体感として、動作追従性が改善することを見出した。
（１）つかみ幅１５ｍｍ、つかみ間隔１５ｍｍ、及び引張荷重２０Ｎの条件の引張試験によって測定された軸方向の伸長率及び周方向の伸長率が、軸方向の伸長率＞周方向の伸長率の関係である。
（２）上記（１）に示した条件の引張試験によって測定された軸方向の伸長率が１５０％以上である。
【００２６】
従って、第１態様及び第２態様に係る膝用サポーターは、脚の膝を含む部分に着用されたときに、サポート感及びフィット感に優れ、かつ、膝関節の曲げ伸ばし動作に対する追従性（動作追従性）にも優れる。
【００２７】
本明細書中において、「平均着圧」とは、着圧（サポーター本体による締め付け圧）の平均値を意味する。
本明細書中における、平均着圧Ａ、平均着圧Ｂ、平均着圧Ｂ１、及び平均着圧Ｂ２の具体的な測定方法については後述する。
【００２８】
本実施形態の膝用サポーター（即ち、第１態様及び第２態様に係る膝用サポーター。以下同じ。）では、膝サポート部の平均着圧Ａと太腿側サポート部及び脛側サポート部の平均着圧Ｂとが、平均着圧Ａ＞平均着圧Ｂの関係を満たしている。言い換えれば、本実施形態の膝用サポーターでは、着圧差〔平均着圧Ａ−平均着圧Ｂ〕が０を超えている。
着圧差〔平均着圧Ａ−平均着圧Ｂ〕としては、サポート感及びフィット感をより向上させる観点から、０．８ｋＰａ以上が好ましく、１．０ｋＰａ以上がより好ましく、１．２ｋＰａ以上が特に好ましい。
一方、着圧差〔平均着圧Ａ−平均着圧Ｂ〕としては、過度の圧迫を抑制することにより快適性をより向上させる観点から、３．５ｋＰａ以下が好ましく、３．３ｋＰａ以下がより好ましく、３．０ｋＰａ以下が更に好ましく、２．８ｋＰａが更に好ましく、２．５ｋＰａが特に好ましい。
【００２９】
また、本明細書中において、「伸長率」とは、特に断りが無い限り、つかみ幅１５ｍｍ、つかみ間隔１５ｍｍ、及び引張荷重２０Ｎの条件の引張試験によって測定された伸長率を指す。
「伸長率」は、下記式１により算出される値を指す。
【００３０】
伸長率（％）  ＝  （Ｌ２０／Ｌ０）×１００    …  式１
〔式１において、Ｌ０は、初期（即ち非伸長時）のつかみ間隔を指し、具体的には、１５ｍｍである。Ｌ２０は、２０Ｎの引張荷重が印加された状態（即ち伸長時）でのつかみ間隔を指す。〕
【００３１】
伸長率を測定するための引張試験は、膝用サポーターの一部を、つかみ幅１５ｍｍ及びつかみ間隔１５ｍｍで引張試験機に固定し、１５ｍｍ／ｍｉｎの引張速度にて行う。
また、引張試験は、膝用サポーターの一部に対して実施することが困難な場合には、膝用サポーターから３０ｍｍ角の試験片を切り出し、切り出された試験片に対して実施してもよい。また、引張試験は、膝用サポーターと同一構成（同一編成）３０ｍｍ角の試験片を作製し、作製した試験片に対して実施してもよい。
試験回数は５回とし、５回の測定値から、最大値及び最小値を除いた３つの測定値から平均値を求め、この平均値を「伸長率」として採用する。
引張試験の装置は一般的な引張試験機を用いることができるが、例えば、（株）島津製作所製のオートグラフ「ＡＧＳ−Ｘ  １ｋＮ」を用いることができる。
【００３２】
第１態様に係る膝用サポーターの領域Ｒでは、上述のとおり、上記軸方向の伸長率＞上記周方向の伸長率の関係が満たされる。言い換えれば、第１態様に係る膝用サポーターでは、上記周方向の伸長率に対する上記軸方向の伸長率の比率（以下、「比率〔軸方向の伸長率／周方向の伸長率〕」ともいう）が１を超えている。これにより、動作追従性が向上する。
比率〔軸方向の伸長率／周方向の伸長率〕としては、動作追従性をより向上させる観点から、１．２以上が好ましく、１．４以上がより好ましい。
一方、比率〔軸方向の伸長率／周方向の伸長率〕としては、サポート感及びフィット感の観点から、５．０以下が好ましく、３．８以下がより好ましく、３．２以下が特に好ましい。
【００３３】
また、第１態様に係る膝用サポーターの領域Ｒは、上記軸方向の伸長率及び上記周方向の伸長率が、軸方向の伸長率＞周方向の伸長率の関係を満たすが、動作追従性をより向上させる観点から、軸方向の伸長率＞周方向の伸長率＋１００の関係を満たすことが好ましく、軸方向の伸長率＞周方向の伸長率＋２００の関係を満たすことがより好ましく、軸方向の伸長率＞周方向の伸長率＋２５０の関係を満たすことが更に好ましい。
【００３４】
第１態様及び第２態様に係る膝用サポーターの領域Ｒの上記軸方向の伸長率としては、２００％以上がより好ましく、３００％以上が更に好ましく、４００％以上が更に好ましく、５００％以上が更に好ましく、６００％以上が更に好ましい。
【００３５】
本明細書中において、単に「伸長率」というときは、軸方向（縦方向）の伸長率及び周方向（横方向）の伸長率の両方を意味する。
【００３６】
以下、本実施形態の膝用サポーター（即ち、第１態様及び第２態様に係る膝用サポーター。以下同じ。）の更に好ましい形態について説明する。
【００３７】
平均着圧Ｂは、０ｋＰａ以上であれば特に制限はないが、サポート感及び快適性をより向上させる観点から、０．１ｋＰａ以上であることが好ましい。
平均着圧Ｂとしては、０．５ｋＰａ以上がより好ましく、１．０ｋＰａ以上が更に好ましい。
【００３８】
平均着圧Ａは、平均着圧Ａ＞平均着圧Ｂの関係を満たす限り特に制限はない。平均着圧Ａは、サポート感及び快適性をより向上させる観点から、１．５ｋＰａ以上であることが好ましく、２．０ｋＰａ以上であることがより好ましく、２．６ｋＰａ以上であることが更に好ましい。
【００３９】
平均着圧Ａの上限には特に制限はないが、過度の圧迫を抑制することにより快適性をより向上させる観点から、平均着圧Ａは、１０．０ｋＰａ以下であることが好ましく、８．０ｋＰａ以下であることがより好ましい。
【００４０】
また、本実施形態では、脚に対するサポート感及びフィット感をより向上させる観点から、膝サポート部の平均着圧Ａと太腿側サポート部の平均着圧Ｂ１とが、平均着圧Ａ＞平均着圧Ｂ１の関係を満たすことが好ましく、平均着圧Ａ−平均着圧Ｂ１≧０．８ｋＰａの関係を満たすことがより好ましく、平均着圧Ａ−平均着圧Ｂ１≧１．０ｋＰａの関係を満たすことが特に好ましい。
また、本実施形態では、脚に対するサポート感及びフィット感をより向上させる観点から、膝サポート部の平均着圧Ａと脛側サポート部の平均着圧Ｂ２とが、平均着圧Ａ＞平均着圧Ｂ２の関係を満たすことが好ましく、平均着圧Ａ−平均着圧Ｂ２≧０．８ｋＰａの関係を満たすことがより好ましく、平均着圧Ａ−平均着圧Ｂ２≧１．０ｋＰａの関係を満たすことが特に好ましい。
【００４１】
本実施形態では、脚に対するサポート感及びフィット感を特に向上させる観点から、
平均着圧Ａと平均着圧Ｂ１とが、平均着圧Ａ＞平均着圧Ｂ１の関係を満たし、かつ、平均着圧Ａと平均着圧Ｂ２とが、平均着圧Ａ＞平均着圧Ｂ２の関係を満たすことが好ましく、
平均着圧Ａと平均着圧Ｂ１とが、平均着圧Ａ−平均着圧Ｂ１≧０．８ｋＰａの関係を満たし、かつ、平均着圧Ａと平均着圧Ｂ２とが、平均着圧Ａ−平均着圧Ｂ２≧０．８ｋＰａの関係を満たすことがより好ましく、
平均着圧Ａと平均着圧Ｂ１とが、平均着圧Ａ−平均着圧Ｂ１≧１．０ｋＰａの関係を満たし、かつ、平均着圧Ａと平均着圧Ｂ２とが、平均着圧Ａ−平均着圧Ｂ２≧１．０ｋＰａの関係を満たすことが特に好ましい。
【００４２】
平均着圧Ｂ１は、０ｋＰａ以上であれば特に制限はないが、サポート感及び快適性をより向上させる観点から、０．１ｋＰａ以上であることが好ましい。
平均着圧Ｂ１としては、０．５ｋＰａ以上がより好ましく、１．０ｋＰａ以上が更に好ましい。
【００４３】
平均着圧Ｂ２は、０ｋＰａ以上であれば特に制限はないが、サポート感及び快適性をより向上させる観点から、０．１ｋＰａ以上であることが好ましい。
平均着圧Ｂ２としては、０．５ｋＰａ以上がより好ましく、１．０ｋＰａ以上が更に好ましい。
【００４４】
本実施形態の膝用サポーターは、膝サポート部を、膝サポート部における膝蓋骨の中心に相当する位置Ｘと膝サポート部における膝窩部の中心に相当する位置Ｙとの距離が長くなる方向に５ｋｇの力で伸ばした場合に、膝サポート部の伸び率が１８０％〜２８０％であることが好ましい。
膝サポート部の伸び率が１８０％以上であることにより、着用者の体感として、膝関節の曲げ伸ばしをやり易くなる。
膝サポート部の伸び率が２８０％以下であることにより、着用者の体感として、膝に対する高いサポート感が維持される。
ここで、膝サポート部の伸び率は、膝サポート部の置き寸（即ち、上述の伸ばす操作を行う前の膝サポート部の長さ）に対する膝サポート部の伸び寸（即ち、上述の伸ばす操作を行った後の膝サポート部の長さ）の割合（％）を意味する。
【００４５】
ここで、図７を参照し、膝サポート部の置き寸について説明し、図８を参照し、膝サポート部の伸び寸について説明する。
図７は、膝用サポーターを、膝用サポーターの右側と左側とが重なるようにして平置きした様子を示す概念図である。
置き寸を測定する際には、まず、図７に示すように、膝用サポーター１００を、膝用サポーター１００の右側と左側とが重なるようにし、かつ、位置Ｘ及び位置Ｙが両端部に配置されるようにして水平な机上に平置きする。次いでその膝用サポーター１００の上に３５０ｍｍ×３５０ｍｍ×５ｍｍのアクリル板（不図示；例えば三菱アクリライト製ＥＸ−００１）を載せ、この状態で位置Ｘと位置Ｙとの距離を測定する。測定された位置Ｘと位置Ｙとの距離を、置き寸Ｌ１０１とする。
図８は、膝用サポーターを、位置Ｘと位置Ｙとの距離が離れる方向に伸ばした様子を示す概念図である。
伸び寸を測定する際には、まず、互いの距離が離れる方向に相対移動な、伸び寸測定用の一対のＬ字型アームを準備する。上記一対のＬ字型アーム（不図示）を膝用サポーター１００の内部空間に挿入し、一方のＬ字型アームの突出し部を位置Ｘに配置させ、かつ、一方のＬ字型アームの突出し部を位置Ｙに配置させる。次いで、一方のＬ字型アームと他方のＬ字型アームとを互いの距離が離れる方向に相対移動させることにより、膝サポート部１０を、位置Ｘと位置Ｙとの距離が離れる方向に５ｋｇの力で内部から押し伸ばす。押し伸ばされた状態の位置Ｘと位置Ｙとの距離を測定し、伸び寸Ｌ１０２とする。
なお、図７及び図８に示す膝用サポーター１００の詳細は後述する（図１〜図４参照）。
【００４６】
膝サポート部の伸び率は、例えば、大竹工作所製の「新おもり式寸法測定器（ソックス用）」を用いて測定することができる。
【００４７】
上記膝サポート部の伸び率の上限は、２６０％であることがより好ましく、２４０％であることが特に好ましい。
【００４８】
上記膝サポート部の伸び率が１８０％〜２８０％である態様において、位置Ｘ、位置Ｙ、及び位置Ｘと位置Ｙとの中間位置の合計３点について、それぞれ、つかみ幅１５ｍｍ、つかみ間隔１５ｍｍ、及び引張荷重２０Ｎの条件の引張試験によって周方向の伸長率を測定した場合に、３つの測定値の全てが１００％〜２５０％の範囲に含まれ、かつ、３つの測定値における最大値と最小値との差が０％〜８０％であることが好ましい。
周方向の伸長率の測定方法については前述のとおりである。
これにより、膝関節の曲げ伸ばしのやり易さ、及び、膝に対する高いサポート感がより効果的に両立される。
【００４９】
ここでいう「周方向の伸長率」は、膝サポート部中の部分的な伸長率であり、生地一枚分の伸長率である。
これに対し、上述した「膝サポート部の伸び率」は、膝サポート部全体の伸び率であり、しかも生地二枚分（右側及び左側）の伸び率である。
【００５０】
また、膝用サポーターは、脚（即ち、下肢）の膝を含む部分に着用される。
膝用サポーターの軸方向長さは、着用時、膝用サポーターの上端が股関節より下となり膝用サポーターの下端が踝より上となる長さが好適である。
以下、サポート感向上、フィット感向上、及び動作追従性向上の効果をより効果的に発揮させる観点からみた、膝サポート部、大腿側サポート部、及び脛側サポート部の各々の長さの好ましい範囲について説明する。
【００５１】
膝サポート部の軸方向長さ（例えば、後述する図３及び図４中の軸方向長さＬ１０）は適宜設定され得るが、サポート感、フィット感、及び動作追従性の効果をより効果的に発揮させる観点から、６０ｍｍ〜２００ｍｍが好ましい。
太腿側サポート部の軸方向長さ（例えば、後述する図３及び図４中の軸方向長さＬ１２）は適宜設定され得るが、サポート感、フィット感、及び動作追従性の効果をより効果的に発揮させる観点から、３０ｍｍ〜２００ｍｍが好ましい。
脛側サポート部の軸方向長さ（例えば、後述する図３及び図４中の軸方向長さＬ１４）は適宜設定され得るが、サポート感、フィット感、及び動作追従性の効果をより効果的に発揮させる観点から、３０ｍｍ〜２００ｍｍが好ましい。
なお、本明細書中における軸方向長さは、非伸長時の軸方向長さを意味する。
【００５２】
本実施形態の膝用サポーターは、上述した領域Ｒを含む。
領域Ｒは、上述したとおり、太腿側サポート部及び脛側サポート部のうちの少なくとも一部の領域であって、下記（１）及び（２）の少なくとも一方を満たす領域である。
（１）つかみ幅１５ｍｍ、つかみ間隔１５ｍｍ、及び引張荷重２０Ｎの条件の引張試験によって測定された軸方向の伸長率及び周方向の伸長率が、軸方向の伸長率＞周方向の伸長率の関係である。
（２）上記（１）に示した条件の引張試験によって測定された軸方向の伸長率が１５０％以上である。
【００５３】
領域Ｒは、太腿側サポート部及び脛側サポート部のうちの一部の領域であってもよいし、太腿側サポート部及び脛側サポート部の全領域（全体）であってもよい。
領域Ｒが太腿側サポート部及び脛側サポート部のうちの一部の領域である場合、領域Ｒは、太腿側サポート部の少なくとも一部の領域であってもよいし、脛側サポート部の少なくとも一部の領域であってもよいし、太腿側サポート部の少なくとも一部の領域と脛側サポート部の少なくとも一部の領域との組み合わせ（但し、太腿側サポート部及び脛側サポート部の全領域である場合を除く）であってもよい。
領域Ｒが太腿側サポート部及び脛側サポート部のうちの一部の領域である場合、領域Ｒは、太腿側サポート部及び脛側サポート部の各々が、伸長率が異なる複数の領域に分割されている場合の一部の領域であることが好ましい。ここでいう「分割」は、周方向の分割（即ち、２つ以上の短冊状の部分が生じる分割）であってもよいし、軸方向の分割（即ち、２つ以上の筒形状の部分が生じる分割）であってもよいが、周方向の分割であることが好ましい。
領域Ｒが太腿側サポート部及び脛側サポート部のうちの一部の領域である場合、領域Ｒは、膝窩部の中心に相当する位置Ｙから軸方向に延ばした延長線を含むことが好ましい。
【００５４】
領域Ｒは、膝窩部の中心に相当する位置Ｙから軸方向に延ばした延長線を中心として幅１００ｍｍの範囲（例えば、後述する図４中の範囲Ｙ１及び範囲Ｙ２）を少なくとも含むことが好ましい。これにより、動作追従性がより向上する。
【００５５】
また、膝用サポーターは、膝サポート部における膝蓋骨の中心に相当する位置Ｘ（例えば、後述する図３中の位置Ｘ）を中心とする測定範囲Ｘ１、膝窩部の中心に相当する位置Ｙから軸方向に延ばした延長線上であって太腿側サポート部における軸方向の中心である位置Ｔ（例えば、後述する図４中の位置Ｔ）を中心とする測定範囲Ｔ１、及び膝窩部の中心に相当する位置Ｙから軸方向に延ばした延長線上であって脛側サポート部における軸方向の中心である位置Ｓ（例えば、後述する図４中の位置Ｓ）を中心とする測定範囲Ｓ１の各々について、つかみ幅１５ｍｍ、つかみ間隔１５ｍｍ、及び引張荷重２０Ｎの条件の引張試験によって周方向の伸長率を測定したときに、測定範囲Ｘ１の周方向の伸長率が、測定範囲Ｔ１の周方向の伸長率及び測定範囲Ｓ１の周方向の伸長率のいずれよりも低いことが好ましい。これにより、平均着圧Ａ＞平均着圧Ｂの関係をより満たしやすくなる。
【００５６】
また、膝用サポーターは、測定範囲Ｘ１、測定範囲Ｔ１、及び測定範囲Ｓ１について、上記条件の引張試験によって軸方向の伸長率を測定したときに、測定範囲Ｘ１の軸方向の伸長率が、測定範囲Ｔ１の軸方向の伸長率及び測定範囲Ｓ１の軸方向の伸長率のいずれよりも低いことが好ましい。これにより、平均着圧Ａ＞平均着圧Ｂの関係をより満たしやすくなる。
【００５７】
また、少なくとも、太腿側サポート部、膝サポート部、及び脛側サポート部は、丸編みによって連続的に製造されたものであることが好ましい。これにより、太腿側サポート部、膝サポート部、及び脛側サポート部が、別個に製造され、次いでこれらを縫い合わせた場合と比較して、縫い目によって形成された突起部による違和感を生じることなく、着用時のフィット感がより向上するという効果が奏される。更に、太腿側サポート部、膝サポート部、及び脛側サポート部が、丸編みによって連続的に製造されたものであると、伸長率を確保し易いという効果も奏される。
【００５８】
また、筒型のサポーター本体の形状は、少なくとも２つの開口部を有する筒形状であればよく、その他には特に制限はない。
筒型のサポーター本体を平たく潰して略平面形状とした場合の平面視における形状は、軸方向について対称であっても非対称であってもよく、また、周方向について対称であっても非対称であってもよい。上記平面視における形状は、略長方形であってもよいし、一部が湾曲した形状であってもよい。
筒型のサポーター本体に含まれる太腿側サポート部、膝サポート部、及び脛側サポート部の境界ラインは、直線状であっても、湾曲していても、波線状であってもよい。
また、太腿側サポート部、膝サポート部、及び脛側サポート部の編み組織は、一体的に編まれていてもよいし、一体的に編まれていなくてもよい。
筒型のサポーター本体は、さらに、その編み組織の一部に孔やスリットを有していてもよい。
【００５９】
また、少なくとも、太腿側サポート部、膝サポート部、及び脛側サポート部の全体の構造に着目すると、上述した着用時のフィット感及び伸長率の確保の観点から、上記全体の構造は、シームレス構造であることが好ましい。
ここで、シームレス構造とは、軸方向の縫い目（例えば、縫い合わせにより筒形状を形成するための縫い目）も周方向の縫い目（例えば、各部を縫い合わせるための縫い目）も無い一体型の構造を意味する。
シームレス構造の、太腿側サポート部、膝サポート部、及び脛側サポート部の全体は、例えば、太腿側サポート部、膝サポート部、及び脛側サポート部を、丸編みによって連続的に製造することにより形成できる。
【００６０】
また、筒型のサポーター本体（好ましくは、太腿側サポート部及び脛側サポート部の少なくとも一方）は、後述の第４態様における凹凸組織領域を含んでいてもよい。筒型のサポーター本体が凹凸組織領域を含む場合の凹凸組織領域の好ましい態様については、第４態様を参照することができる。
【００６１】
また、筒型のサポーター本体は、更に、太腿側サポート部から見て膝サポート部の反対側に配置された太腿側口ゴム部、及び、脛側サポート部から見て膝サポート部の反対側に配置された脛側口ゴム部を含むことが好ましい。これにより、サポーター本体の着用ずれ（例えば、ずれ落ち）やめくれがより効果的に抑制される。
筒型のサポーター本体が太腿側口ゴム部及び脛側口ゴム部を含む場合、太腿側口ゴム部及び脛側口ゴム部は、それぞれ、縫い合わせによって太腿側サポート部及び脛側サポート部と接続されていてもよいし、それぞれ、丸編みによって太腿側サポート部及び脛側サポート部とともに連続的に製造されていてもよい。
上述した着用時のフィット感及び伸長率の確保の観点から、太腿側口ゴム部及び脛側口ゴム部は、それぞれ、丸編みによって太腿側サポート部及び脛側サポート部とともに連続的に製造されていることが好ましい。
また、同様の観点から、太腿側口ゴム部、太腿側サポート部、膝サポート部、脛側サポート部、及び脛側口ゴム部の全体の構造は、シームレス構造であることが好ましい。
【００６２】
また、少なくとも上記太腿側口ゴム部の裏面（即ち、脚との対向面。以下同じ。）の少なくとも一部には、膝用サポーターのずれ落ち抑制の観点から、樹脂層（例えばシリコーンゴム層）が設けられていることが好ましい。樹脂層は、例えば印刷によって形成できる。樹脂層は、脛側口ゴム部の裏面に設けられていてもよい。
【００６３】
さらに、膝用サポーターは、サポーター本体以外のその他の部材を備えていてもよい。
その他の部材としては、例えば膝の脇に対応する位置に設けられ、適度に膝の動きを制御することによって膝を保護する棒状の支持部材（ステー）；サポーター本体を脚に固定するため又はサポート感を向上するための固定ベルト；ポケット、タグ、等が挙げられる。これらは、サポーター本体とは分離して配置されていてもよく、又はサポーター部に縫い付けられるなどにより一体として配置されていてもよい。その他の部材のサポータ本体における配置は、特に限定されない。
これらの中でも、特に、太腿側口ゴム部の表面（脚との対向面に対して反対側の面）に固定ベルトを備えることにより、膝用サポーターのずれ落ちをより効果的に抑制できる。固定ベルトは、脚に対する締め付け力を調整する部材（例えば、面ファスナー、バックル、サイドリリースバックル、ワイヤアジャスタ、等）を備えることが好ましい。
また、その他の部材として、サポーター本体の編み組織の表面には樹脂を付してもよい。樹脂を付する方法としては、スプレー、転写（例えば、熱転写）、樹脂含浸、グラビア印刷、スクリーン捺染、ロータリー捺染、熱圧着、接着などが挙げられる。樹脂としては、弾性樹脂（例えば、ウレタン樹脂など）が好ましい。
膝用サポーターは、単独で着用してもよいし、湿布や包帯などを付けた上に、重ねて着用してもよい。
【００６４】
＜第１態様及び第２態様の具体例＞
次に、図面を参照しながら、本実施形態（第１態様及び第２態様）の具体例について説明する。しかし、本実施形態は、以下の具体例に限定されることはない。
【００６５】
なお、本明細書中では、各図面に共通の要素については、同一の符号を付し、重複した説明を省略することがある。
【００６６】
図１は、具体例に係る膝用サポーターが脚の膝を含む部分に着用された状態を側方から見た概略図である。
図２は、具体例に係る膝用サポーターが脚の膝を含む部分に着用された状態を膝窩部側から見た概略図である。
図１及び図２に示すように、本具体例に係る膝用サポーターは筒型のサポーター本体１００からなり、脚１０１の膝１０１Ａを含む部分に着用されて使用される。
【００６７】
サポーター本体１００は、膝サポート部１０、太腿側サポート部１２、及び脛側サポート部１４を含んでいる。
サポーター本体１００は、更に、太腿側サポート部１２から見て膝サポート部１０の反対側に配置された太腿側口ゴム部１３、及び、脛側サポート部１４から見て膝サポート部１０の反対側に配置された脛側口ゴム部１５を含んでいる。
膝サポート部１０、太腿側サポート部１２、脛側サポート部１４、太腿側口ゴム部１３、及び脛側口ゴム部１５は、各々、筒型形状を有しており、これらが一体化して筒型形状のサポーター本体１００が形成されている。
膝サポート部１０は、膝１０１Ａ及び膝裏１０１Ｄをサポートする部分であり、太腿側サポート部１２は、脚１０１の膝１０１Ａに対して太腿側の部分１０１Ｂをサポートする部分であり、脛側サポート部１４は、脚１０１の膝１０１Ａに対して脛側の部分１０１Ｃをサポートする部分である。
【００６８】
太腿側口ゴム部１３は、太腿側サポート部１２から見て膝サポート部１０の反対側（詳細には、サポーター本体１００の太腿側の端部）に位置する部分であり、脛側口ゴム部１５は、脛側サポート部１４から見て膝サポート部１０の反対側（詳細には、サポーター本体１００の脛側の端部）に位置する部分である。
太腿側口ゴム部１３及び脛側口ゴム部１５は、着用時のサポーター本体１００のずれ落ち及びめくれを防止する機能を有している。
【００６９】
サポーター本体１００において、各部の境界線は、外見上、必ずしも明確である必要はない。各部の境界線が外見上明確でない場合であっても、各部の境界線は、各部の伸長率の差によって区別することができる。
【００７０】
また、サポーター本体１００中、太腿側口ゴム部１３、太腿側サポート部１２、膝サポート部１０、脛側サポート部１４、及び脛側口ゴム部１５は、丸編みによって連続的に製造されており、これらの全体の構造がシームレス構造となっている。これにより、着用時のフィット感に特に優れたものとなっている。
但し、サポーター本体１００は、太腿側口ゴム部１３を太腿側サポート部１２に縫い合わせ、かつ、脛側口ゴム部１５を脛側サポート部１４に縫い合わせることにより、製造されてもよい。
また、本実施形態はこの一例に限られず、各部を単独の部材として別々に製造しておき、次いで各部を縫い合わせることによってサポーター本体を製造しても構わない。
【００７１】
サポーター本体１００では、膝サポート部１０の平均着圧Ａと太腿側サポート部１２及び脛側サポート部１４の平均着圧Ｂとが、着圧差〔平均着圧Ａ−平均着圧Ｂ〕＞０ｋＰａの関係を満たしている。
更に、サポーター本体１００では、膝サポート部１０の平均着圧Ａと太腿側サポート部１２の平均着圧Ｂ１とが、着圧差〔平均着圧Ａ−平均着圧Ｂ１〕＞０ｋＰａの関係を満たしている。
更に、サポーター本体１００では、膝サポート部１０の平均着圧Ａと脛側サポート部１４の平均着圧Ｂ２とが、着圧差〔平均着圧Ａ−平均着圧Ｂ２〕＞０ｋＰａの関係を満たしている。
着圧差〔平均着圧Ａ−平均着圧Ｂ〕、着圧差〔平均着圧Ａ−平均着圧Ｂ１〕、着圧差〔平均着圧Ａ−平均着圧Ｂ２〕、平均着圧Ａ、平均着圧Ｂ、平均着圧Ｂ１、及び平均着圧Ｂ２のそれぞれの好ましい範囲は前述のとおりである。
【００７２】
サポーター本体１００では、膝サポート部１０の周方向の伸長率が、太腿側サポート部１２の周方向の伸長率及び脛側サポート部１４の周方向の伸長率のいずれよりも小さくなっている。
また、サポーター本体１００では、膝サポート部１０の軸方向の伸長率が、太腿側サポート部１２の軸方向の伸長率及び脛側サポート部１４の軸方向の伸長率のいずれよりも小さくなっている。
【００７３】
−平均着圧Ａ、平均着圧Ｂ、平均着圧Ｂ１、及び平均着圧Ｂ２の測定方法−
本明細書中における、平均着圧Ａ、平均着圧Ｂ、平均着圧Ｂ１、及び平均着圧Ｂ２は、以下のようにして測定する。
まず、後述するマネキンＭ１の脚の１０か所（位置Ｐ１〜Ｐ１０）に、着圧測定用のセンサーを取り付ける。
図５及び図６は、マネキンＭ１に対するセンサー取り付け位置を示す写真である。
図５は、マネキンＭ１の脚（左脚）を正面（膝の側）から撮影した写真であり、図６は、脚の斜め後ろ側から撮影した写真である。
【００７４】
位置Ｐ１〜Ｐ１０は、詳細には、以下の位置である。
位置Ｐ１  …  位置Ｐ２を基準とし太腿側７０ｍｍの位置（即ち、位置Ｐ３を基準とし太腿側１００ｍｍの位置）
位置Ｐ２  …  位置Ｐ３を基準とし太腿側３０ｍｍの位置
位置Ｐ３  …  膝（膝蓋骨）の中心
位置Ｐ４  …  位置Ｐ３を基準とし脛側３０ｍｍの位置
位置Ｐ５  …  位置Ｐ４を基準とし脛側７０ｍｍの位置（即ち、位置Ｐ３を基準とし脛側１００ｍｍの位置）
位置Ｐ６、Ｐ１０  …  それぞれ、位置Ｐ２から位置Ｐ４までの範囲内における脚の横側
位置Ｐ７  …  位置Ｐ１に対する脚の裏側
位置Ｐ８  …  位置Ｐ２から位置Ｐ４までの範囲内における膝窩部側
位置Ｐ９  …  位置Ｐ５に対する脚の裏側
【００７５】
マネキンＭ１としては、
位置Ｐ１の周囲長が４０５ｍｍであり、
位置Ｐ２の周囲長が３７０ｍｍであり、
位置Ｐ３の周囲長が３６０ｍｍであり、
位置Ｐ４の周囲長が３４６ｍｍであり、
位置Ｐ５の周囲長が３６７ｍｍであるＦＲＰ（Fiber Reinforced Plastics）製のマネキン（例えば、（株）七彩製、製品名「ＭＤ−２０Ａ」）を用いる。
【００７６】
マネキンＭ１の脚の膝を含む部分に本実施形態の膝用サポーターを、膝サポート部が位置Ｐ２、Ｐ３、Ｐ４、Ｐ６、Ｐ８、及びＰ１０を覆い、太腿側サポート部が位置Ｐ１及びＰ７を覆い、脛側サポート部が位置Ｐ５及びＰ９を覆うように着用する。
次に、位置Ｐ１〜Ｐ１０の着圧を、各位置に取り付けられた着圧測定用のセンサーによって測定する。
位置Ｐ１、Ｐ５、Ｐ７、及びＰ９の各測定値の平均値を求め、得られた平均値を平均着圧Ｂとする。
位置Ｐ１及びＰ７の各測定値の平均値を求め、得られた平均値を平均着圧Ｂ１とする。
位置Ｐ５及びＰ９の各測定値の平均値を求め、得られた平均値を平均着圧Ｂ２とする。
位置Ｐ２、Ｐ３、Ｐ４、Ｐ６、Ｐ８、及びＰ１０の各測定値の平均値を求め、得られた平均値を平均着圧Ａとする。
【００７７】
また、太腿側サポート部１２及び脛側サポート部１４では、軸方向の伸長率＞周方向の伸長率、及び、軸方向の伸長率１５０％以上の両方が満たされている。
但し、本実施形態はこの一例に限られず、太腿側サポート部及び脛側サポート部のうちの少なくとも一部の領域において、軸方向の伸長率＞周方向の伸長率、及び、軸方向の伸長率１５０％以上の少なくとも一方が満たされていればよい。
【００７８】
サポーター本体１００の材質としては、ポリエステル、ポリプロピレン、ポリウレタン、ポリオレフィン、ポリオレフィン系エラストマー、ポリアミド、レーヨン、アクリル、キュプラ、アセテート、プロミックス、アラミド、シリコーンなどの化繊；綿、羊毛、絹、麻、レーヨンなどの天然繊維；天然ゴム；ポリ塩化ビニル；等が挙げられる。
中でも、ポリエステル、ポリウレタン、ポリアミド、ポリオレフィン、ポリオレフィン系エラストマー、シリコーン、又は天然ゴムが好ましく、長期耐久性の観点から、ポリエステル、ポリウレタン、ポリアミド、ポリオレフィン、又はポリオレフィン系エラストマーがより好ましい。
【００７９】
サポーター本体１００の紡糸としては、モノフィラメント；マルチフィラメント；ウレタン又はゴムを被覆したＳＣＹ（Single Covering Yarn）；ウレタン又はゴムを被覆したＤＣＹ（Double Covering Yarn）；等が挙げられる。
【００８０】
サポーター本体１００の編み組織としては、スパイラルタック編み組織、メッシュ編み組織、立体編み組織、トリコット編み組織、平編み組織、ゴム編み組織、レース編み組織、インレイ編み組織、カットボス編み組織、鹿の子編み組織、リブ編み組織、両面編み組織、フロート編み組織、ノンラン編み組織、及び、これらの編み組織を形成する編成方法を２種以上組み合わせて形成される編み組織、等が挙げられる。
平均着圧が高い膝サポート部１０の編み組織としては、スパイラルタック編み組織、メッシュ編み組織、トリコット編み組織、平編み組織、ゴム編み組織、インレイ編み組織、カットボス編み組織、鹿の子編み組織、リブ編み組織、両面編み組織、又は、これらの編み組織を形成する編成方法を２種以上組み合わせて形成される編み組織が好ましい。
平均着圧が低い太腿側サポート部１２及び脛側サポート部１４の編み組織としては、スパイラルタック編み組織、メッシュ編み組織、立体編み組織、ハニカムウェーブ編み組織、平編み組織、ゴム編み組織、ノンラン編み組織、レース編み組織、又は、これらの編み組織を形成する編成方法を２種以上組み合わせて形成される編み組織が好ましい。
【００８１】
太腿側口ゴム部１３及び脛側口ゴム部１５の編み組織としては、ゴム編み組織又はノンラン編み組織が好ましい。
【００８２】
サポーター本体１００の編み組織の表面には、樹脂が付されていてもよい。
樹脂を付する方法としては、スプレー、転写（例えば、熱転写）、樹脂含浸、グラビア印刷、スクリーン捺染、ロータリー捺染、熱圧着や、接着などが挙げられる。樹脂としては、弾性樹脂が好ましい。
【００８３】
また、サポーター本体１００は、編み組織以外のその他の組織を含んでいてもよい。
その他の組織としては、ネオプレンゴムを含む組織、ネオプレンゴム積層体を含む組織等が挙げられる。
【００８４】
サポーター本体１００の、材質、紡糸、及び編み組織については、例えば、特開２０１１−１３０７８４号公報、特開２００７−９３６２号公報、特開２０１０−１３７６５号公報、特開２０００−１１６６９７号公報、特開２００７−５４１２６号公報等に記載の公知の材質、紡糸、及び編み組織を参照してもよい。
【００８５】
次に、サポーター本体１００の大きさの一例及びサポーター本体１００の伸長率の好ましい態様を、図３及び図４を参照しながら説明する。
図３は、具体例に係る膝用サポーター（サポーター本体）が脚に着用されていない状態を示す正面図であり、図４は、具体例に係る膝用サポーター（サポーター本体）が脚に着用されていない状態を示す背面図である。
より詳細には、図３は、具体例に係るサポーター本体の前面側と後面側とを重ねることにより、サポーター本体の形状を略平面形状とした時の正面図（前面側、即ち膝蓋骨側を示す図）であり、図４は、この時の背面図（後面側、即ち膝窩部側を示す図）である。
【００８６】
膝サポート部１０の軸方向長さＬ１０は、前述のとおり６０ｍｍ〜２００ｍｍが好ましく、８０ｍｍ〜１８０ｍｍがより好ましい。
太腿側サポート部１２の軸方向長さＬ１２は、前述のとおり３０ｍｍ〜２００ｍｍが好ましく、３０ｍｍ〜１５０ｍｍがより好ましい。
脛側サポート部１４の軸方向長さＬ１４は、前述のとおり３０ｍｍ〜２００ｍｍが好ましく、３０ｍｍ〜１５０ｍｍがより好ましい。
太腿側口ゴム部１３の軸方向長さＬ１３は、１０ｍｍ〜８０ｍｍが好ましく、２０ｍｍ〜７０ｍｍがより好ましい。
脛側口ゴム部１５の軸方向長さＬ１５は、１０ｍｍ〜８０ｍｍが好ましく、１０ｍｍ〜６０ｍｍがより好ましい。
【００８７】
サポーター本体１００（全体）の軸方向長さは、１４０ｍｍ〜７６０ｍｍが好ましく、１８０ｍｍ〜６２０ｍｍがより好ましい。
【００８８】
膝サポート部１０の平均周長は、１００ｍｍ〜３００ｍｍが好ましく、１５０ｍｍ〜２８０ｍｍがより好ましい。
太腿側サポート部１２の平均周長は、１００ｍｍ〜４００ｍｍが好ましく、１５０ｍｍ〜３５０ｍｍがより好ましい。
脛側サポート部１４の平均周長は、１００ｍｍ〜３５０ｍｍが好ましく、１００ｍｍ〜３００ｍｍがより好ましい。
太腿側口ゴム部１３の平均周長は、１８０ｍｍ〜３５０ｍｍが好ましく、２００ｍｍ〜３２０ｍｍがより好ましい。
脛側口ゴム部１５の平均周長は、１００ｍｍ〜３５０ｍｍが好ましく、１２０ｍｍ〜３００ｍｍがより好ましい。
ここで、軸方向長さおよび平均周長は、下記式で表される値である。
軸方向長さ  ＝  （軸方向の最大長さ＋軸方向の最小長さ）／２
平均周長    ＝  （最大周長＋最小周長）／２
【００８９】
また、太腿側サポート部１２及び脛側サポート部１４において、軸方向の伸長率＞周方向の伸長率の関係、及び、軸方向の伸長率１５０％以上の少なくとも一方を満たす領域Ｒは、膝サポート部１０の膝窩部の中心に相当する位置Ｙ（図４中の位置Ｙ）から軸方向に延ばした延長線３０を中心として、幅１００ｍｍの範囲（図４中の範囲Ｙ１及び範囲Ｙ２）を少なくとも含むことが好ましい。特に好ましくは、太腿側サポート部１２及び脛側サポート部１４の全体が、軸方向の伸長率＞周方向の伸長率の関係、及び、軸方向の伸長率１５０％以上の少なくとも一方を満たすことである。
【００９０】
また、サポーター本体１００は、膝サポート部１０における膝蓋骨の中心に相当する位置Ｘを中心とする測定範囲Ｘ１（測定範囲Ｘ１は不図示）、膝窩部の中心に相当する位置Ｙから軸方向に延ばした延長線３０上であって太腿側サポート部１２における軸方向の中心である位置Ｔを中心とする測定範囲Ｔ１（測定範囲Ｔ１は不図示）、及び膝窩部の中心に相当する位置Ｙから軸方向に延ばした延長線３０上であって脛側サポート部における軸方向の中心である位置Ｓを中心とする測定範囲Ｓ１（測定範囲Ｓ１は不図示）の各々について、つかみ幅１５ｍｍ、つかみ間隔１５ｍｍ、及び引張荷重２０Ｎの条件の引張試験によって周方向の伸長率を測定したときに、測定範囲Ｘ１の周方向の伸長率が、測定範囲Ｔ１の周方向の伸長率及び測定範囲Ｓ１の周方向の伸長率のいずれよりも低いことが好ましい。これにより、平均着圧Ａ＞平均着圧Ｂの関係をより満たしやすくなる。
【００９１】
また、サポーター本体１００は、測定位置Ｘ１、測定位置Ｔ１、及び測定位置Ｓ１について、上記条件の引張試験によって軸方向の伸長率を測定したときに、測定範囲Ｘ１の軸方向の伸長率が、測定範囲Ｔ１の軸方向の伸長率及び測定範囲Ｓ１の軸方向の伸長率のいずれよりも低いことが好ましい。これにより、平均着圧Ａ＞平均着圧Ｂの関係をより満たしやすくなる。
【００９２】
また、サポーター本体１００（好ましくは、太腿側サポート部１２及び脛側サポート部１４の少なくとも一方）は、後述の第４態様における凹凸組織領域を含んでいてもよい。サポーター本体１００が凹凸組織領域を含む場合の凹凸組織領域の好ましい態様については、第４態様を参照することができる。
【００９３】
〔第３態様〕
本実施形態の第３態様の膝用サポーターは、脚の膝を含む部分に着用され、膝をサポートする膝サポート部、脚の膝に対して太腿側をサポートする太腿側サポート部、及び脚の膝に対して脛側をサポートする脛側サポート部を含む筒型のサポーター本体を備え、膝サポート部の平均着圧Ａと太腿側サポート部及び脛側サポート部の平均着圧Ｂとが、平均着圧Ａ＞平均着圧Ｂの関係を満たし、
膝サポート部を、膝サポート部における膝蓋骨の中心に相当する位置Ｘと膝サポート部における膝窩部の中心に相当する位置Ｙとの距離が長くなる方向に５ｋｇの力で伸ばした場合に、膝サポート部の伸び率が１８０％〜２８０％である。
膝サポート部の伸び率が１８０％以上であることにより、着用者の体感として、膝関節の曲げ伸ばしをやり易くなる。
膝サポート部の伸び率が２８０％以下であることにより、着用者の体感として、膝に対する高いサポート感が維持される。
【００９４】
第３態様の膝用サポーターは、膝サポート部の伸び率が１８０％〜２８０％に限定されていること、上述した「軸方向の伸長率＞周方向の伸長率の関係」を満たすことには限定されないこと、及び上述した「軸方向の伸長率が１５０％以上である」ことには限定されないことを除けば、第１態様又は第２態様の膝用サポーターと同様の膝用サポーターである。
第３態様の膝用サポーターの好ましい形態も、第１態様又は第２態様の膝用サポーターの好ましい形態と同様である。
上記膝サポート部の伸び率の測定方法及び好ましい範囲についても、第１態様及び第２態様の項で説明したとおりである。
【００９５】
第３態様の膝用サポーターにおいて、位置Ｘ、位置Ｙ、及び位置Ｘと位置Ｙとの中間位置の合計３点について、それぞれ、つかみ幅１５ｍｍ、つかみ間隔１５ｍｍ、及び引張荷重２０Ｎの条件の引張試験によって周方向の伸長率を測定した場合に、３つの測定値の全てが１００％〜２５０％の範囲に含まれ、かつ、３つの測定値における最大値と最小値との差が０％〜８０％であることが好ましい。周方向の伸長率の測定方法については、第１態様及び第２態様の項で説明したとおりである。
これにより、膝関節の曲げ伸ばしのやり易さ、及び、膝に対する高いサポート感がより効果的に両立される。
【００９６】
〔第４態様〕
本実施形態の第４態様の衣類は、筒型の関節用サポーター部を備える衣類であって、
筒型の関節用サポーター部が、身体の関節部位に対して着圧を付与するための着圧付与領域を含む筒型の関節用サポーター部の軸方向の中央領域と、中央領域に対して軸方向の一端側に位置する一端側領域と、中央領域に対して軸方向の他端側に位置する他端側領域と、を含み、
着圧付与領域の着圧が、一端側領域及び他端側領域の平均着圧よりも高く、
筒型の関節用サポーター部における着圧付与領域以外の領域が、凹凸組織からなる凹凸組織領域を含む。
【００９７】
第４態様において、身体の関節部位とは、関節を屈曲した時に関節の外側に位置する部位であって、腱及び靭帯の少なくとも一方の一部又は全体を覆う部位を指す。
【００９８】
第４態様の筒型の関節用サポーター部（以下、「サポーター部」ともいう）を備える衣類によれば、サポーター部の着圧付与領域は、関節部位に着用する。そして、この衣類を着用した着用者の体感として、着圧付与領域が接している関節部位において、優れたサポート感及びフィット感が得られる。
この理由は明らかではないが、上記着圧付与領域の着圧が、一端側領域及び他端側領域の平均着圧よりも高いことにより、着圧付与領域によってサポートされている関節部位において、錯覚により、着圧付与領域の実際の着圧よりも高い着圧でサポートされている感覚が得られるためと考えられる。また、着圧付与領域と一端側領域及び他端側領域との着圧に着圧差を設けることで、サポーター部（の一部）を関節の一部位に密着させることができ、フィット感を向上させることができる。
【００９９】
また、一般的には、サポーター部の着圧が高ければ高い程、肌ストレスが強くなる傾向がある。ここで、肌ストレスとは、肌が受ける、内的なストレス及び外的なストレスのことをいう。
サポーター部の全体に着圧を付与する場合、付与する着圧が外的刺激となり、着用者はサポーター部着用領域の全体に肌ストレスを感じる。そのため、特に、サポーターを長時間着用するような場合に、肌ストレスの軽減が求められている。しかし、着圧付与領域をサポーター部の一部のみに配置することにより、平均着圧の低い領域（例えば、一端側領域及び他端側領域）の肌ストレスが軽減される。
また、第４態様の衣類におけるサポーター部は、着圧付与領域以外の領域に、凹凸組織からなる凹凸組織領域を含めることができる。これにより、肌ストレスが軽減される。肌ストレス軽減の効果は、凹凸組織の柔らかさ（例えば厚さ方向の柔らかさ）に起因する効果であると考えられる。特に、関節部位の周囲（着圧付与領域以外の領域が適用される部分）は、関節部位と比較して柔らかい皮膚組織からなり、肌ストレスに弱い。この関節部位の周囲の少なくとも一部に凹凸組織領域を適用することが肌ストレスの軽減に効果的である。
【０１００】
以上のように、第４態様の衣類によれば、従来は両立させることが困難であった、サポート感及びフィット感の向上と、肌ストレスの軽減と、が両立される。
【０１０１】
第４態様において、着圧付与領域は、中央領域の全体であってもよいし、一部であってもよい。
着圧付与領域が中央領域の一部である場合、着圧付与領域のサイズは、サポート感を高めたい領域に応じて適宜調整できる。
着圧付与領域は、中央領域中において、関節を屈曲した時に関節の外側に位置する腱及び靭帯の少なくとも一方の一部又は全体を覆う領域（関節部位）を含む領域であることが好ましい。
着圧付与領域の周方向長さは、中央領域の全周長さ（詳しくは、着圧付与領域を含む部分の全周長さ）の１／３以上の長さであることが好ましい。
また、着圧付与領域の軸方向長さは、中央領域の軸方向長さの１／３以上の長さであることが好ましい。
着圧付与領域の形状は、少なくとも関節部位を覆うことができれば、特に限定されることはなく、関節部位の形状に応じて適宜設計できる。その形状としては、例えば、略円形状、略楕円形状、略長方形状などが挙げられる。また、着圧付与領域の境界ラインの形状も、特に限定されることはなく、直線状であっても、湾曲していても、波線状であってもよい。さらに、境界ラインの周囲に縁取り構造があってもよい。
【０１０２】
第４態様において、着圧付与領域が中央領域の一部である場合、着圧付与領域は、中央領域中における着圧付与領域以外の領域と比較して、軸方向の伸長率が高いことが好ましい。
【０１０３】
第４態様において、凹凸組織領域とは、凹凸形状を有する組織である凹凸組織を含む領域である。
凹凸組織領域に含まれる凹凸組織としては、編物組織（以下、「編物」ともいう）、織物組織（以下、「織物」ともいう）、樹脂シート（例えば、フィルムなど）などが挙げられる。これらの中でも、凹凸組織としては、編物や織物を用いることが好ましく、編物を用いることがより好ましい。また、凹凸組織領域には、単一の凹凸組織を用いてもよく、複数の凹凸組織を組合せて用いてもよい。
これらの中でも、凹凸組織を含む凹凸組織領域としては、凹凸編地を含む凹凸編地領域、凹凸織物を含む凹凸織物領域、又は、凹凸編地と凹凸織物とを含む凹凸組織領域が好ましく、凹凸編地を含む凹凸編地領域がより好ましい。
凹凸組織を含む凹凸組織領域の好ましい態様（例えば、サイズ、サポーター部における配置、各種物性値、など）については、後述する凹凸編地を含む凹凸編地領域の好ましい態様と同様であり、適宜好ましい態様を組合せて用いることができる。
【０１０４】
凹凸編地領域とは、凹凸形状を有する編み組織である凹凸編地を含む領域である。凹凸編地領域は、着圧付与領域以外の領域の全体に配置されてもよいし、一部に配置されてもよい。また、凹凸編地領域に含まれる凹凸編地としては、単一の凹凸編地であってもよく、２種以上の凹凸編地であってもよい。
凹凸編地領域が着圧付与領域以外の領域の一部に配置される場合、凹凸編地領域のサイズは、凹凸編地が肌に触れていることを感じることが出来る程度のサイズであることが好ましい。
具体的には、凹凸編地領域の面積としては、着用時の伸張した状態での凹凸編地領域の面積が、４ｃｍ２以上であることが好ましく、６ｃｍ２以上であることがより好ましい。
また、凹凸編地領域の周方向長さは、サポーター部の全周長さ（詳しくは、凹凸編地領域を横切る全周の長さ）の１／６以上の長さであることが好ましく、１／３以上の長さであることがより好ましい。
ここで、凹凸編地領域の周方向長さとは、凹凸編地領域が周方向に分割して配置される場合には、周方向に重複なく寄せ集めた場合の総周方向長さをいう。
凹凸編地領域は、着圧付与領域以外の領域中に複数配置されていてもよい。着圧付与領域以外の領域中に複数の凹凸編地領域を配置する場合、その配置は特に限定されない。
凹凸編地領域の形状及び隣接する領域との境界ラインの形状は、特に限定されない。これらは、デザイン性の観点から、適宜設計できる。
【０１０５】
第４態様において、サポーター部は、着圧付与領域及び凹凸組織領域（例えば、凹凸編地領域）を含む。サポーター部は、着圧付与領域及び凹凸組織領域以外の領域（その他の領域）を含んでいてもよい。
着圧付与領域と凹凸組織領域に加え、その他の領域を含む場合、その他の領域は、織物、樹脂シート、着圧付与領域及び凹凸組織領域とは異なる編み組織、等によって構成することができる。中でも、肌ストレス軽減の観点からは、編み組織又は織物が好ましく、弾性糸を用いた編み組織がより好ましい。ただし、その他の領域の組織は、一端側領域及び他端側領域における平均着圧が着圧付与領域の着圧よりも低くなるように適宜選定する。
【０１０６】
第４態様の衣類は、関節用サポーター部のみからなる衣類（即ち、サポーター）であってもよいし、衣類の一部分として関節用サポーター部を備える衣類であってもよい。
ここで、衣類の一部分として関節用サポーター部を備える衣類としては、スパッツ、タイツ（例えば、スポーツタイツ、コンプレッションタイツ、医療用タイツ）、ガードル、パンティーストッキング、レギンス、トレンカ、レッグウォーマー等のボトム（例えば、スポーツ用又はインナー用等のボトム）；肌着、シャツ、コンプレッションシャツ等のトップ；ソックス；手袋；指サック；包帯；等が挙げられる。
【０１０７】
関節部位における関節としては、膝関節、肘関節、中手指節関節、指節間関節、近位指節間関節、遠位指節間関節、橈骨手根関節、距腿関節、距骨下関節、首関節、肩関節、股関節、等が挙げられる。
【０１０８】
サポーター部の中央領域が着用される関節としては、疼痛緩和の観点からは、膝関節、肘関節、又は橈骨手根関節が好ましく、膝関節がより好ましい。関節膝関節、肘関節、及び橈骨手根関節は、３つ以上の骨から構成されるという共通点を有する。
着圧付与領域によって着圧を付与することより関節部位を圧迫すると、関節における骨の配置が適正化され、関節の周囲に位置する関節部位以外の部位を動きやすく制御することができる。これにより、疼痛緩和の効果を生じる。
関節膝関節、肘関節、及び橈骨手根関節は、他の関節に較べてより広い可動範囲を有する関節である。これら関節膝関節、肘関節、及び橈骨手根関節は、筋肉の衰えにより骨の配置が崩れやすいので、これらの関節にサポーターを着用し、サポート感を付与することが特に有用である。
特に、膝関節は、歩行時に人体の体重を支えるため、大きな負荷がかかりやすく、骨の配置が崩れやすい。このため、第４態様の効果は、サポーター部の中央領域を膝関節に着用した場合において、特に効果的に奏される。
【０１０９】
また、第４態様の衣類において、着圧付与領域及び凹凸編地領域は、つかみ幅１５ｍｍ、つかみ間隔１５ｍｍ、及び引張荷重２０Ｎの条件の引張試験によって測定された軸方向の伸長率が、凹凸編地領域＞着圧付与領域の関係を満たすことが好ましい。これにより、動作追従性がより向上する。
この動作追従性向上の効果は、着圧付与領域に着圧を付与することでサポーター部を関節部位に密着させてサポーター部の着用ずれを防ぐこと、及び、凹凸編地領域が着圧付与領域よりも伸び縮みし易いことに起因する効果であると考えられる。
一般的に、関節の曲げ伸ばし動作時には、筋肉の動きに応じて関節の上下に位置する皮膚の形状が変化し、その形状変化により、サポーター部によれ又はたるみが生じる。着用者は、サポーター部のよれ又はたるみに起因する着用感の悪さから、肌ストレスを感じる。
しかし、第４態様の衣類は、サポーター部が着圧付与領域を含むことで、サポーター部を関節部位に安定的に着用させてサポーター部の着用ずれを防ぐことができる。
更に、第４態様の衣類では、着圧付与領域以外の領域に含まれる凹凸編地領域の軸方向の伸縮性を、着圧付与領域の軸方向の伸縮性よりも高くすることにより、皮膚の形状の変化に伴うサポーター部の変形歪を小さくすることができる。その結果、サポーター部のよれやたるみを改善し、肌ストレスを軽減できる。特に、関節を曲げ伸ばすなどの大きな動きをする場合に、優れた効果を奏する。
【０１１０】
なお、第４態様における伸長率は、第１態様における伸長率と同様にして測定する。
【０１１１】
凹凸編地領域における凹凸編地は、フロート編み組織を含むことが好ましい。凹凸編地におけるフロート編み組織は、フロート編み組織以外の編み組織より伸び縮みし易い。フロート編み組織を含む凹凸編地が柔らかい理由は、着用時に凹凸編地領域が伸びた場合においても凹凸編地におけるフロート編み組織に伸びしろ（即ち、凹凸）が残るためと考えられる。この伸びしろが肌に触れた時に、柔らかい感触を与える。また、凹凸編地の製造し易さの観点からもフロート編み組織を配することにより凹凸編地を形成することが好ましい。凹凸編地のベースとなる編み組織としては、第１態様における編み組織を用いることができ、それらの編み組織にフロート編み組織を含める態様が好ましい態様である。
また、凹凸編地領域における凹凸編地は、弾性糸によって編成されることが好ましく、上記凹凸編地は、弾性糸を用いたフロート編み組織を含む凹凸編地であることがより好ましい。弾性糸を用いることで凹凸編地をより柔らかくすることができる。
弾性糸としては、ポリウレタン、ポリオレフィン系エラストマー、天然ゴム、シリコーンなどが挙げられる。この中でも、より弾性に優れる観点から、ポリウレタン、ポリオレフィン系エラストマー、天然ゴムが好ましい。ここで、弾性糸の好ましい材質としては、第１態様における好ましい材質と同義である。また、弾性糸として、第１態様における紡糸を用いることもできる。
サポーター部を丸編みによって一体的に製造する際の製造適性にも優れる観点からは、軸方向にフロート編み組織を配することが好ましい。
【０１１２】
また、凹凸編地領域は、長尺形状の凹部を有することが好ましい。
ここでいう長尺形状は、言うまでも無く、平面視における凹部の形状である。
凹凸編地領域のうち、特に凹部の底部分は、伸びやすい性質を有する。このため、長尺形状の凹部を有する凹凸編地領域は、この凹部の幅方向に伸びやすい性質を有する。従って、凹凸編地領域が長尺形状の凹部を有することにより、凹凸編地領域全体が伸び易くなるので、動作追従性がより向上する。
凹凸編地領域は、長尺形状の凹部を複数有することが好ましい。
【０１１３】
凹凸編地領域は、長尺形状の凹部を複数有し、これら複数の凹部の各々は、長さ方向が、筒型のサポーター部の周方向に対して略平行であることが好ましい。
この場合、長尺形状の凹部の幅方向がサポーター部の軸方向に対応する。このため、凹凸編地領域がサポーター部の軸方向に伸び易くなるので、動作追従性がより向上する。
また、凹凸編地領域が、上記長さ方向を有する長尺形状の凹部を複数有することは、サポーター部を丸編みによって製造する際の製造適性にも優れる点でも有利である。詳細には、サポーター部を丸編みによって製造する際、フロート編みによって周方向の編目を１目以上飛ばして編むことにより、上記長尺形状の凹部（即ち、その長さ方向が、サポーター部の周方向に対して略平行である長尺形状の凹部）を容易に製造できる。
【０１１４】
凹凸編地領域は、筒型のサポーター部の軸方向及び周方向のうちの一方向に伸長率２００％にて伸長させたときに、上記一方向の弾性率が、０．１Ｎ／ｍｍ２未満であることが好ましい。
上記一方向の弾性率が０．１Ｎ／ｍｍ２未満であると、凹凸編地領域の柔らかさにより優れ、その結果、肌ストレスがより軽減される。
ここで、弾性率とは、変形のしにくさを表す指標で、弾性変形における応力とひずみとの間の比例定数である。弾性率の数値は、後述する測定方法により得ることができる。弾性率の値が小さいと、着用時に凹凸編地領域が伸びた場合において、凹凸編地が伸びる前の形状に戻ろうとする応力が小さいことを意味し、肌への負荷が小さいといえる。
サポーター部を丸編みによって製造する際の製造適性にも優れる観点からは、軸方向の弾性率が０．１Ｎ／ｍｍ２未満であることが好ましい。
【０１１５】
凹凸編地領域は、筒型のサポーター部の軸方向及び周方向のうちの一方向に伸長率２００％にて伸長させたときに、一方向の弾性率が、０．１Ｎ／ｍｍ２未満であり、筒型のサポーター部の軸方向及び周方向のうちの他方向に伸長率２００％にて伸長させたときに、他方向の弾性率が、０．１Ｎ／ｍｍ２〜０．５Ｎ／ｍｍ２であることが好ましい。
上記一方向の弾性率の値を０．１Ｎ／ｍｍ２未満にすることで肌ストレスを軽減できる。そして、上記他方向の弾性率が０．１Ｎ／ｍｍ２以上であると、フィット感がより向上する。また、上記他方向の弾性率が０．１Ｎ／ｍｍ２以上であると、サポーター部の着用ずれを抑制できる。さらに、上記他方向の弾性率が０．５Ｎ／ｍｍ２以下であると、肌ストレスをより軽減できる。
軸方向及び周方向の弾性率が異なる編地は、フロート編みの編目の飛ばし目の数を適宜調整することで製造することができる。
【０１１６】
本明細書中において、軸方向の弾性率は、測定対象領域（例えば凹凸編地領域）の中心位置（即ち、周方向の中心であってかつ軸方向の中心である位置）を測定中心とする、測定幅（即ち、周方向長さ）１５ｍｍの範囲について測定された値を意味する。
本明細書中において、軸方向の弾性率は、つかみ幅１５ｍｍ、つかみ間隔１５ｍｍ、及び引張荷重２０Ｎの条件の引張試験によって測定する。ここで、引張荷重の方向は、サポーター部の軸方向である。
【０１１７】
上記軸方向の弾性率の測定においては、凹凸編地領域の一部を、つかみ幅１５ｍｍ及びつかみ間隔１５ｍｍで引張試験機に固定し、１５ｍｍ／ｍｉｎの引張速度にて引張って伸長させ、２００％伸長した時点での弾性率を読み取って測定値とする。
また、引張試験は、凹凸編地領域の一部に対して実施することが困難な場合には、凹凸編地領域から３０ｍｍ角の試験片を切り出し、切り出された試験片に対して実施してもよい。また、引張試験は、凹凸編地領域と同一編成の凹凸編地による３０ｍｍ角の試験片を作製し、作製した試験片に対して実施してもよい。
試験回数は５回とし、５回の測定値から、最大値及び最小値を除いた３つの測定値から平均値を求め、この平均値を「軸方向に２００％伸長させたときの軸方向の弾性率」として採用する。
引張試験の装置は一般的な引張試験機を用いることができるが、例えば、（株）島津製作所製のオートグラフ「ＡＧＳ−Ｘ  １ｋＮ」を用いることができる。
【０１１８】
また、本明細書中において、周方向の弾性率は、引張荷重の方向をサポーター部の周方向とすること以外は、軸方向の弾性率と同様にして測定された値を意味する。
【０１１９】
関節の曲げ伸ばし動作は、関節周りの皮膚を伸長させる。そこで、関節周りの皮膚の伸長方向に伸縮性の高い編地を使用することにより、動作追従性がより向上する。
例えば、関節周りの皮膚の伸長の程度が、周方向よりも軸方向に大きい場合には、凹凸編地領域は、軸方向の伸長率＞周方向の伸長率の関係を満たすことが好ましい。
一方で、関節周りの皮膚の伸長の程度が、軸方向よりも周方向に大きい場合には、凹凸編地領域は、周方向の伸長率＞軸方向の伸長率の関係を満たすことが好ましい。
ここで、軸方向の伸長率及び周方向の伸長率は、それぞれ、つかみ幅１５ｍｍ、つかみ間隔１５ｍｍ、及び引張荷重２０Ｎの条件の引張試験によって測定された伸長率である。
【０１２０】
第４態様における凹凸編地領域の比率〔軸方向の伸長率／周方向の伸長率〕の好ましい範囲は、第１態様における領域Ｒの比率〔軸方向の伸長率／周方向の伸長率〕の好ましい範囲と同様である。
第４態様における凹凸編地領域の軸方向の伸長率の好ましい範囲は、第１態様における領域Ｒの軸方向の伸長率の好ましい範囲と同様である。
【０１２１】
第４態様の衣類において、肌ストレスをより軽減する観点から、一端側領域及び他端側領域の少なくとも一方が、凹凸編地領域を含むことが好ましく、一端側領域及び他端側領域が（即ち、両方が）、凹凸編地領域を含むことがより好ましく、一端側領域及び他端側領域が、同じ半周側に凹凸編地領域を含むことが特に好ましい。
更に好ましくは、筒型のサポーター部において、一端側領域の後面側及び他端側領域の後面側の少なくとも一方が、凹凸編地領域を含むことであり、更に好ましくは、一端側領域の後面側及び他端側領域の後面側の各々が、凹凸編地領域を含むことである。
【０１２２】
ここで、前面側とは、筒型のサポーター部における前記着圧付与領域の中心ＸＸを中心とする半周側（関節用サポーターにおける関節を曲げ伸ばした時の外側；膝用サポーターである場合には膝蓋骨側）を指し、後面側とは、筒型のサポーター部における残りの半周側（関節用サポーターにおける関節を曲げ伸ばした時の内側；膝用サポーターである場合には膝蓋骨側）を指す。以下、同様とする。
【０１２３】
第４態様の衣類において、一端側領域及び他端側領域の少なくとも一方（好ましくは両方）が、凹凸編地領域と、凹凸編地領域よりも軸方向の弾性率が高い領域（以下、「領域Ｍ」ともいう）と、を含み、凹凸編地領域と、領域Ｍと、が周方向に配置されている形態が好ましい。
これにより、一端側領域及び他端側領域の少なくとも一方（好ましくは両方）において、凹凸編地領域により肌ストレス軽減と、領域Ｍによる着用時の安定感向上（詳細には、ある程度の着圧向上）と、が両立される。
凹凸編地領域、及び、領域Ｍは、肌ストレス軽減の観点から、いずれも弾性糸によって編成されている編地であることがより好ましい。
また、筒型のサポーター部において、凹凸編地領域が後面側にあり、領域Ｍが前面側にある態様が好ましい態様である。一端側領域の後面側及び他端側領域の後面側の少なくとも一方の領域では、各々の前面側（関節部位は含まない）よりも、関節の曲げ伸ばしによる皮膚の伸び縮みの程度が大きい。そのため、より伸長性の高い編地である凹凸編地を含む凹凸編地領域を後面側に適用することが着用ずれの改善に効果的である。そして、各々の前面側に領域Ｍを配置することで、より効果的に着用時の安定感を向上できる。
【０１２４】
一端側領域及び他端側領域の少なくとも一方が凹凸編地領域及び領域Ｍを含む上記の形態においても、前述の凹凸編地領域の面積、周方向長さ、配置、形状についての好ましい態様を適用できる。
領域Ｍの周方向長さは、着用時の安定感を付与する観点から、サポーター部の全周長さ（詳しくは、領域Ｍを横切る全周の長さ）の１／３以上の長さであることがより好ましい。
ここで、領域Ｍの周方向長さとは、領域Ｍが周方向に分割して配置される場合には、周方向に重複なく寄せ集めた場合の総周方向長さをいう。
また、領域Ｍの軸方向長さは、一端側領域及び他端側領域の軸方向長さの１／３の領域以上であることが好ましい。
ここで、領域Ｍの軸方向長さとは、領域Ｍが軸方向に分割して配置される場合には、軸方向に重複なく寄せ集めた場合の総軸方向長さをいう。
領域Ｍは、一端側領域及び他端側領域の少なくとも一方の中に複数配置されていてもよい。上記少なくとも一方の中に複数の領域Ｍを配置する場合、その配置は特に限定されない。領域Ｍの形状、及び、隣接する領域との境界ラインの形状は、特に限定されない。
【０１２５】
一端側領域及び他端側領域の少なくとも一方が凹凸編地領域及び領域Ｍを含む上記の形態において、サポーター部は、着圧付与領域、凹凸編地領域、及び領域Ｍを含む。上記形態において、サポーター部は、着圧付与領域、凹凸編地領域、及び領域Ｍ以外の領域（その他の領域）を含んでいてもよい。
着圧付与領域、凹凸編地領域、及び領域Ｍに加え、その他の領域を含む場合、その他の領域は、織物；樹脂シート；着圧付与領域、凹凸編地領域、及び領域Ｍとは異なる編み組織；等によって構成することができる。
中でも、肌ストレス軽減の観点からは、編み組織又は織物が好ましく、弾性糸を用いた編み組織がより好ましい。ただし、その他の領域の組織は、一端側領域及び他端側領域における平均着圧が着圧付与領域の着圧よりも低くなるように適宜選定する。
【０１２６】
また、第４態様では、肌ストレスをより低減させる観点から、以下に列挙する態様も好ましい。
関節周りの皮膚の伸長の程度が、周方向よりも軸方向に大きい場合であって、一端側領域の後面側が凹凸編地領域を含む場合には、軸方向の伸長率が、一端側領域の後面側の凹凸編地領域＞一端側領域の前面側の関係を満たすことが好ましい。
また、関節周りの皮膚の伸長の程度が、周方向よりも軸方向に大きい場合であって、他端側領域の後面側が凹凸編地領域を含む場合には、軸方向の伸長率が、他端側領域の後面側の凹凸編地領域＞他端側領域の前面側の関係を満たすことが好ましい。
関節周りの皮膚の伸長の程度が、周方向よりも軸方向に大きい場合であって、一端側領域の後面側及び他端側領域の後面側が凹凸編地領域を含む場合には、軸方向の伸長率が、一端側領域の後面側の凹凸編地領域＞一端側領域の前面側の関係、及び、他端側領域の後面側の凹凸編地領域＞他端側領域の前面側の関係を満たすことが好ましい。
関節周りの皮膚の伸長の程度が、軸方向よりも周方向に大きい場合であって、一端側領域の後面側が凹凸編地領域を含む場合には、周方向の伸長率が、一端側領域の後面側の凹凸編地領域＞一端側領域の前面側の関係を満たすことが好ましい。
また、関節周りの皮膚の伸長の程度が、軸方向よりも周方向に大きい場合であって、他端側領域の後面側が凹凸編地領域を含む場合には、周方向の伸長率が、他端側領域の後面側の凹凸編地領域＞他端側領域の前面側の関係を満たすことが好ましい。
関節周りの皮膚の伸長の程度が、軸方向よりも周方向に大きい場合であって、一端側領域の後面側及び他端側領域の後面側が凹凸編地領域を含む場合には、周方向の伸長率が、一端側領域の後面側の凹凸編地領域＞一端側領域の前面側の関係、及び、他端側領域の後面側の凹凸編地領域＞他端側領域の前面側の関係を満たすことが好ましい。
好ましい態様は、関節の種類に応じて、適宜適用することができる。
ここで、軸方向の伸長率及び周方向の伸長率は、それぞれ、つかみ幅１５ｍｍ、つかみ間隔１５ｍｍ、及び引張荷重２０Ｎの条件の引張試験によって測定された伸長率である。
【０１２７】
第４態様の衣類におけるサポート部の好ましい形態は、第１態様における膝用サポーターの好ましい形態と同様である。
第４態様における、一端側領域、中央領域、及び他端側領域は、それぞれ、第１態様における、太腿側サポート部、膝サポート部、及び脛側サポート部に対応する。
また、第４態様における前面側は、第１態様における膝蓋骨側に対応し、第４態様における後面側は、第１態様における膝窩部側に対応する。
【０１２８】
例えば、第４態様における中央領域が膝関節に着用される場合（即ち、第４態様におけるサポーター部が膝用サポーターである場合）、サポート感及びフィット感をより向上させる観点から、中央領域の平均着圧ＸＡと一端側領域及び他端側領域の平均着圧ＸＢとが、平均着圧ＸＡ＞平均着圧ＸＢの関係を満たすことが好ましく、平均着圧ＸＡ−平均着圧ＸＢ≧０．８ｋＰａの関係を満たすことがより好ましく、平均着圧ＸＡ−平均着圧ＸＢ≧１．０ｋＰａの関係を満たすことが特に好ましい。
【０１２９】
また、第４態様において、サポート感及びフィット感をより向上させる観点から、中央領域の平均着圧ＸＡと一端側領域の平均着圧ＸＢ１とが、平均着圧ＸＡ＞平均着圧ＸＢ１の関係を満たすことが好ましく、平均着圧ＸＡ−平均着圧ＸＢ１≧０．８ｋＰａの関係を満たすことがより好ましく、平均着圧ＸＡ−平均着圧ＸＢ１≧１．０ｋＰａの関係を満たすことが特に好ましい。
また、第４態様において、サポート感及びフィット感をより向上させる観点から、中央領域の平均着圧ＸＡと他端側領域の平均着圧ＸＢ２とが、平均着圧ＸＡ＞平均着圧ＸＢ２の関係を満たすことが好ましく、平均着圧ＸＡ−平均着圧ＸＢ２≧０．８ｋＰａの関係を満たすことがより好ましく、平均着圧ＸＡ−平均着圧ＸＢ２≧１．０ｋＰａの関係を満たすことが特に好ましい。
【０１３０】
平均着圧ＸＡ、平均着圧ＸＢ、平均着圧ＸＢ１、及び平均着圧ＸＢ２の好ましい範囲は、それぞれ、第１態様における、平均着圧Ａ、平均着圧Ｂ、平均着圧Ｂ１、及び平均着圧Ｂ２の好ましい範囲と同様である。
【０１３１】
また、第４態様において、動作追従性をより向上させる観点から、凹凸編地領域の軸方向の伸長率は、１５０％以上であることが好ましい。
【０１３２】
また、中央領域を、着圧付与領域の中心ＸＸと中央領域の後面側の中心ＸＹとの距離が長くなる方向に５ｋｇの力で伸ばした場合に、中央領域の伸び率が１８０％〜２８０％であることが好ましい
中央領域の伸び率が１８０％以上であることにより、着用者の体感として、関節の曲げ伸ばしをやり易くなる。
中央領域の伸び率が２８０％以下であることにより、着用者の体感として、高いサポート感が維持される。
伸び率については、第１態様において説明したとおりである。また、第４態様における中央領域の伸び率のより好ましい範囲は、第１態様における膝サポート部の伸び率の好ましい範囲と同様である。
【０１３３】
また、着圧付与領域の中心ＸＸ、中央領域の後面側の中心ＸＹ、及び、中心ＸＸと中心ＸＹとの中間位置の合計３点について、それぞれ、つかみ幅１５ｍｍ、つかみ間隔１５ｍｍ、及び引張荷重２０Ｎの条件の引張試験によって周方向の伸長率を測定した場合に、３つの測定値の全てが１００％〜２５０％の範囲に含まれ、３つの測定値における最大値と最小値との差が０％〜８０％である
これにより、関節の曲げ伸ばしのやり易さ、及び、サポート感がより効果的に両立される。
【０１３４】
また、着圧付与領域の中心ＸＸを中心とする測定範囲ＸＸ１、中央領域の後面側の中心ＸＹから軸方向に延ばした延長線上であって一端側領域における軸方向の中心である位置ＸＴを中心とする測定範囲ＸＴ１、及び中央領域の後面側の中心ＸＹから軸方向に延ばした延長線上であって他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって周方向の伸長率を測定したときに、測定範囲ＸＸ１の周方向の伸長率が、測定範囲ＸＴ１の周方向の伸長率及び測定範囲ＸＳ１の周方向の伸長率のいずれよりも低いことが好ましい。これにより、平均着圧ＸＡ＞平均着圧ＸＢの関係を満たしやすくなり、その結果、サポート感及びフィット感がより向上する。
【０１３５】
また、測定範囲ＸＸ１、測定範囲ＸＴ１、及び測定範囲ＸＳ１の各々について、上記引張試験によって軸方向の伸長率を測定したときに、測定範囲ＸＸ１の軸方向の伸長率が、測定範囲ＸＴ１の軸方向の伸長率及び測定範囲ＸＳ１の軸方向の伸長率のいずれよりも低いことが好ましい。これにより、平均着圧ＸＡ＞平均着圧ＸＢの関係を満たしやすくなり、その結果、サポート感及びフィット感がより向上する。
【０１３６】
また、筒型のサポーター部の形状は、少なくとも２つの開口部を有する筒形状であればよく、その他には特に制限はない。
筒型のサポーター部を平たく潰して略平面形状とした場合の平面視における形状は、軸方向について対称であっても非対称であってもよく、また、周方向について対称であっても非対称であってもよい。上記平面視における形状は、略長方形であってもよいし、一部が湾曲した形状であってもよい。筒型のサポーター部の形状は、適用する関節の形状に応じて適宜選択できる。
筒型のサポーター部に含まれる各領域の境界ラインは、直線状であっても、湾曲していても、波線状であってもよい。また、各領域の編み組織は、一体的に編まれていてもよいし、一体的に編まれていなくてもよい。
筒型のサポーター部は、さらに、その編み組織の一部に孔やスリットを有していてもよい。
【０１３７】
筒型のサポーター部の全体の構造は、シームレス構造であることが好ましい。シームレス構造については、第１態様において説明したとおりである。
シームレス構造の筒型のサポーター部は、このサポーター部を、丸編みによって連続的に製造することにより形成できる。
【０１３８】
また、筒型のサポーター部は、更に、一端側領域から見て中央領域の反対側に配置された一端側口ゴム部、及び、他端側領域から見て中央領域の反対側に配置された他端側口ゴム部を含むことが好ましい。これにより、サポーター部の着用ずれやめくれがより効果的に抑制される。
筒型のサポーター部が一端側口ゴム部及び他端側口ゴム部を含む場合、一端側口ゴム部及び他端側口ゴム部は、それぞれ、縫い合わせによって一端側領域及び他端側領域と接続されていてもよいし、それぞれ、丸編みによって一端側領域及び他端側領域とともに連続的に製造されていてもよい。
上述した着用時のフィット感及び伸長率の確保の観点から、一端側口ゴム部及び他端側口ゴム部は、それぞれ、丸編みによって一端側領域及び他端側領域とともに連続的に製造されていることが好ましい一態様である。
また、同様の観点から、一端側口ゴム部、一端側領域、中央領域、他端側領域、及び他端側口ゴム部の全体の構造は、シームレス構造であることが好ましい一態様である。
また、一端側口ゴム部及び他端側口ゴム部の少なくとも一方が、身体に巻き付けて筒型となる構造であってもよい。また、一端側口ゴム部及び他端側口ゴム部の少なくとも一方は、例えば、固定ベルトなど（例えば、面ファスナーなど）を付属していてもよい。
【０１３９】
また、少なくとも一端側口ゴム部の裏面（即ち、身体との対向面。以下同じ。）の少なくとも一部には、サポーター部の着用ずれ抑制の観点から、樹脂層（例えばシリコーンゴム層）が設けられていることが好ましい。樹脂層は、例えば印刷によって形成できる。樹脂層は、他端側口ゴム部の裏面に設けられていてもよい。
【０１４０】
さらに、第４態様の衣類は、サポーター部以外のその他の部材を備えていてもよい。
その他の部材としては、例えば棒状の支持部材（ステー）；サポーター部の一部を身体の一部に固定するため又はサポート感を向上するための固定ベルト；ポケット、タグ、等が挙げられる。これらは、第４態様のサポーター部とは分離して配置されていてもよく、又はサポーター部に縫い付けられるなどにより一体として配置されていてもよい。その他の部材は、サポーター部のいずれに配置されてもよい。
また、その他の部材として、サポーター部の編み組織の表面には樹脂を付してもよい。樹脂を付する方法としては、スプレー、転写（例えば、熱転写）、樹脂含浸、グラビア印刷、スクリーン捺染、ロータリー捺染、熱圧着、接着などが挙げられる。樹脂としては、弾性樹脂が好ましい。
これらの中でも、一端側口ゴム部の表面（身体との対向面に対して反対側の面）に固定ベルトを備えることにより、サポーター部の着用ずれをより効果的に改善できる。固定ベルトは、身体の一部に対する締め付け力を調整する部材（例えば、面ファスナー、バックル、サイドリリースバックル、ワイヤアジャスタ、等）を備えることが好ましい。
第４態様の衣類は、単独で着用してもよいし、湿布や包帯などを付けた上に、重ねて着用してもよい。
【０１４１】
＜第４態様の具体例＞
以下、図９〜図１２を参照し、第４態様の衣類の具体例であるサポーターについて説明するが、第４態様の衣類はこの具体例に限定されることはない。
【０１４２】
図９及び図１０は、それぞれ、第４態様の衣類の具体例である関節用サポーター（直線的な形状を有する関節用サポーター）を概念的に示す正面図（前面図）及び背面図（後面図）である。
より詳細には、図９は、第４態様の衣類の具体例である関節用サポーターの前面側と後面側とを重ねることにより、関節用サポーターの形状を略平面形状とした時の正面図（前面側を示す図）であり、図１０は、この時の背面図（後面側を示す図）である。
【０１４３】
図９及び図１０に示すように、第４態様の衣類の具体例である関節用サポーター２００（筒型の関節用サポーター部）は、
関節用サポーター２００の軸方向の中央領域１１０と、
中央領域１１０に対して軸方向の一端側に位置する一端側領域１１２と、
中央領域１１０に対して軸方向の他端側に位置する他端側領域１１４と、
一端側領域１１２から見て中央領域１１０の反対側に配置された一端側口ゴム部１１３と、
他端側領域１１４から見て中央領域１１０の反対側に配置された他端側口ゴム部１１５と、
によって構成されている。
【０１４４】
中央領域１１０は、中央領域の前面側１１０Ａ及び中央領域の後面側１１０Ｂによって構成されている。この具体例では、中央領域の前面側１１０Ａの全体が、関節部位に着圧を付与するための着圧付与領域となっている。
但し、第４態様はこの一例に限定されず、中央領域の前面側１１０Ａの一部のみが着圧付与領域となっていてもよい。
第４態様における関節用サポーター部を、その前面側と後面側とを重ねることにより略平面形状とした場合の平面視における全体形状は、図９〜１０に示す関節用サポーター２００と同様に略長方形であってもよく、関節の形状に併せて湾曲した形状であってもよい。また、第４態様の効果を奏する限り、編地は一体的に編まれてなくてもよく、編地の一部に孔やスリットを有していてもよい。
また、第４態様における関節用サポーター部は、湿布や包帯などを付けた上に着用してもよい。
第４態様における着圧付与領域の周方向長さは、少なくとも関節部位を覆う長さであればよく、好ましくは、中央領域の全周長さの１／３以上の長さである。
また、第４態様における着圧付与領域の軸方向長さは、少なくとも関節部位を覆う長さであればよく、好ましくは、中央領域の軸方向長さの１／３以上の長さである。
【０１４５】
着圧付与領域の着圧は、一端側領域１１２及び他端側領域１１４の平均着圧よりも高くなっている。これにより、関節用サポーター２００は、サポート感及びフィット感に優れる。
【０１４６】
着圧付与領域（この例では中央領域の前面側１１０Ａ）は、好ましくは、低伸長性のメッシュ編み組織を主体とする編み組織にて編成する。
中央領域中、着圧付与領域以外の領域も、着圧付与領域と同様の編み組織にて編成されていてもよいが、着圧付与領域以外の領域の構成については特に制限はない。
中央領域中、着圧付与領域以外の領域は、織物、樹脂シート、着圧付与領域とは異なる編み組織、等によって構成することができる。中でも、編み組織や織物が好ましく、弾性糸を用いた編み組織とすることがより好ましい。
【０１４７】
なお、本具体例において、「前面側」及び「後面側」の区別は、筒型のサポーター部における周方向の位置を説明するための便宜上の区別である。従って、筒型のサポーター部は、必ずしも、物理的に前面側と後面側とに分割されている必要はない。
【０１４８】
一端側領域１１２は、一端側領域の前面側１１２Ａ及び一端側領域の後面側１１２Ｂによって構成されている。
他端側領域１１４は、他端側領域の前面側１１４Ａ及び他端側領域の後面側１１４Ｂによって構成されている。
【０１４９】
図１０に示すように、一端側領域の後面側１１２Ｂは、その周方向両端部を除き、凹凸編地からなる凹凸編地領域１１２Ｃによって構成されている。
他端側領域の後面側１１４Ｂも同様に、その周方向両端部を除き、凹凸編地からなる凹凸編地領域１１４Ｃによって構成されている。
【０１５０】
一端側領域１１２及び他端側領域１１４の全体は、弾性糸によって編成されている。
凹凸編地領域１１２Ｃの凹凸編地及び凹凸編地領域１１４Ｃの凹凸編地は、弾性糸を用いたフロート編みを含むメッシュ編みによって編成されている。
【０１５１】
一端側領域１１２において、凹凸編地領域１１２Ｃ以外の領域（一端側領域の後面側１１２Ｂの一部及び一端側領域の前面側１１２Ａ）は、凹凸編地領域１１２Ｃよりも軸方向の弾性率が高い領域となっている。
他端側領域１１４において、凹凸編地領域１１４Ｃ以外の領域（他端側領域の後面側１１４Ｂの一部及び他端側領域の前面側１１４Ａ）は、凹凸編地領域１１４Ｃよりも軸方向の弾性率が高い領域となっている。
一端側領域１１２及び他端側領域１１４は、いずれも、凹凸編地領域と凹凸編地領域よりも軸方向の弾性率が高い領域とが周方向に配置されている態様の一例である。
これらの構成により、一端側領域１１２及び他端側領域１１４において、凹凸編地領域により肌ストレス軽減と、凹凸編地領域よりも軸方向の弾性率が高い領域による着用時の安定感向上と、が両立されている。
【０１５２】
一端側領域１１２において、凹凸編地領域１１２Ｃよりも軸方向の弾性率が高い領域は、凹凸編地領域１１２Ｃよりも軸方向の伸長率が低い領域となっている。
他端側領域１１４において、凹凸編地領域１１４Ｃよりも軸方向の弾性率が高く、かつ、凹凸編地領域１１４Ｃよりも軸方向の伸長率が低いとなっている。
【０１５３】
図１１は、図１０中の一点鎖線で囲った部分の拡大図（即ち、凹凸編地の拡大図）であり、図１２は、図１１のＡ−Ａ線端面図である。
図１１及び図１２に示すように、凹凸編地領域１１２Ｃは、複数の凹部２０２及び複数の凹部２１０を含む凹凸構造を有している。言うまでも無く、凹凸編地領域１１２Ｃのうち、複数の凹部２０２及び複数の凹部２１０以外の部分が、複数の凹部２０２及び複数の凹部２１０の底に対して、相対的に凸部を構成している。なお、図１１及び図１２では、一部の凹部にのみ、符号２０２又は２１０を付している。
【０１５４】
凹部２０２は、平面視において長尺形状を有している。凹部２０２の長尺形状の長手方向は、関節用サポーター２００の周方向に対して略平行となっている。
長尺形状の凹部２０２は、凹凸編地領域１１２Ｃの伸び易さ（特に、軸方向の伸び易さ）に寄与している。
凹部２１０は、平面視において円形状を有している。凹部２１０の深さは、凹部２０２の深さよりも浅くなっている。凹部２１０の直径は、凹部２０２の幅よりも小さくなっている。凹凸編地領域１１２Ｃでは、凹部２０２だけでなく凹部２１０も有することにより、凹凸編地領域１１２Ｃの伸び易さと強度とが高いレベルで両立されている。
【０１５５】
凹凸編地領域１１４Ｃの凹凸形状も、凹凸編地領域１１２Ｃの凹凸形状と同様である。
【０１５６】
第４態様における凹凸編地領域の凹凸形状は、この具体例には限定されない。
例えば、凹凸編地領域１１２Ｃは、２種の凹部（凹部２０２及び凹部２１０）を複数ずつ有しているが、第４態様における凹凸編地領域は、１種の凹部のみを複数有していてもよい。
【０１５７】
凹凸編地領域１１２Ｃ及び凹凸編地領域１１４Ｃは、それぞれ、軸方向の弾性率が、０．１Ｎ／ｍｍ２未満となっている。
凹凸編地領域１１２Ｃ及び凹凸編地領域１１４Ｃは、それぞれ、周方向の弾性率が、０．１Ｎ／ｍｍ２〜０．５Ｎ／ｍｍ２となっている。
従って、関節用サポーター２００によれば、肌ストレスが軽減しつつ、着用ずれを抑制できる。
【０１５８】
また、凹凸編地領域１１２Ｃ及び凹凸編地領域１１４Ｃでは、それぞれ、軸方向の伸長率＞周方向の伸長率を満たしている。
また、着圧付与領域（この例では中央領域の前面側１１０Ａ）及び凹凸編地領域１１２Ｃは、軸方向の伸長率が、凹凸編地領域１１２Ｃ＞着圧付与領域の関係を満たしている。
また、着圧付与領域（この例では中央領域の前面側１１０Ａ）及び凹凸編地領域１１４Ｃは、軸方向の伸長率が、凹凸編地領域１１４Ｃ＞着圧付与領域の関係を満たしている。
これらの構成により、関節用サポーター２００では、優れた動作追従性が実現されている。
【０１５９】
また、関節用サポーター２００において、一端側口ゴム部１１３及び他端側口ゴム部１１５は、着用時の関節用サポーター２００の着用ずれ及びめくれを防止する機能を有している。
【０１６０】
また、関節用サポーター２００において、一端側口ゴム部１１３、一端側領域１１２、中央領域１１０、他端側領域１１４、及び他端側口ゴム部１１５は、丸編みによって連続的に製造されており、これらの全体の構造がシームレス構造となっている。これにより、着用時のフィット感に特に優れたものとなっている。
但し、第４態様の衣類はこの一例に限られず、丸編みと丸編み以外の組織とを縫い合わせて併用して編成されていてもよい。
【０１６１】
関節用サポーター２００では、中央領域１１０の平均着圧ＸＡと一端側領域１１２及び他端側領域１１４の平均着圧ＸＢとが、着圧差〔平均着圧ＸＡ−平均着圧ＸＢ〕＞０ｋＰａの関係を満たしている。
更に、関節用サポーター２００では、中央領域１１０の平均着圧ＸＡと一端側領域１１２の平均着圧ＸＢ１とが、着圧差〔平均着圧ＸＡ−平均着圧ＸＢ１〕＞０ｋＰａの関係を満たしている。
更に、関節用サポーター２００では、中央領域１１０の平均着圧ＸＡと他端側領域１１４の平均着圧ＸＢ２とが、着圧差〔平均着圧ＸＡ−平均着圧ＸＢ２〕＞０ｋＰａの関係を満たしている。
着圧差〔平均着圧ＸＡ−平均着圧ＸＢ〕、着圧差〔平均着圧ＸＡ−平均着圧ＸＢ１〕、着圧差〔平均着圧ＸＡ−平均着圧ＸＢ２〕、平均着圧ＸＡ、平均着圧ＸＢ、平均着圧ＸＢ１、及び平均着圧ＸＢ２のそれぞれの好ましい範囲は前述のとおりである。
【０１６２】
関節用サポーター２００では、中央領域１１０の周方向の伸長率が、一端側領域１１２の周方向の伸長率及び他端側領域１１４の周方向の伸長率のいずれよりも小さくなっている。
また、関節用サポーター２００では、中央領域１１０の軸方向の伸長率が、一端側領域１１２の軸方向の伸長率及び他端側領域１１４の軸方向の伸長率のいずれよりも小さくなっている。
【０１６３】
また、関節用サポーター２００において、一端側領域１１２及び他端側領域１１４では、軸方向の伸長率＞周方向の伸長率、及び、軸方向の伸長率１５０％以上の両方が満たされている。
但し、第４態様はこの一例に限られず、一端側領域及び他端側領域のうちの少なくとも一部の領域において、軸方向の伸長率＞周方向の伸長率、及び、軸方向の伸長率１５０％以上の少なくとも一方が満たされていればよい。
【０１６４】
関節用サポーター２００の材質、紡糸、及び編み組織については、それぞれ、前述したサポーター本体１００（第１態様の具体例）の材質、紡糸、及び編み組織を参照することができる。
【０１６５】
関節用サポーター２００のサイズについては、関節用サポーター２００が着用される関節の種類に応じ、適宜設定される。
例えば、関節用サポーター２００を、膝関節に着用される膝用サポーターとして用いる場合、関節用サポーター２００のサイズの好ましい範囲は、前述したサポーター本体１００のサイズの好ましい範囲と同様である。
【０１６６】
また、関節用サポーター２００は、中央領域の前面側１１０Ａ（着圧付与領域）の中心ＸＸを中心とする測定範囲ＸＸ１（測定範囲ＸＸ１は不図示）、中央領域の後面側１１０Ｂの中心ＸＹから軸方向に延ばした延長線上であって一端側領域１１２における軸方向の中心である位置ＸＴを中心とする測定範囲ＸＴ１（測定範囲ＸＴ１は不図示）、及び中央領域の後面側１１０Ｂの中心ＸＹから軸方向に延ばした延長線上であって他端側領域の後面側１１４Ｂの中心ＸＳを中心とする測定範囲ＸＳ１（測定範囲ＸＳ１は不図示）の各々について、つかみ幅１５ｍｍ、つかみ間隔１５ｍｍ、及び引張荷重２０Ｎの条件の引張試験によって周方向の伸長率を測定したときに、測定範囲ＸＸ１の周方向の伸長率が、測定範囲ＸＴ１の周方向の伸長率及び測定範囲ＸＳ１の周方向の伸長率のいずれよりも低くなっている。
【０１６７】
また、関節用サポーター２００は、測定位置ＸＸ１、測定位置ＸＴ１、及び測定位置ＸＳ１について、上記条件の引張試験によって軸方向の伸長率を測定したときに、測定範囲ＸＸ１の軸方向の伸長率が、測定範囲ＸＴ１の軸方向の伸長率及び測定範囲ＸＳ１の軸方向の伸長率のいずれよりも低くなっている。
【０１６８】
また、関節用サポーター２００では、中央領域１１０を、着圧付与領域の中心ＸＸと中央領域の後面側１１０Ｂの中心ＸＹとの距離が長くなる方向に５ｋｇの力で伸ばした場合に、中央領域１１０の伸び率が１８０％〜２８０％となっている。
また、関節用サポーター２００では、着圧付与領域の中心ＸＸ、中央領域の後面側１１０Ｂの中心ＸＹ、及び、中心ＸＸと中心ＸＹとの中間位置の合計３点について、それぞれ、周方向の伸長率を測定した場合に、３つの測定値の全てが１００％〜２５０％の範囲に含まれ、３つの測定値における最大値と最小値との差が０％〜８０％となっている。
【０１６９】
以上、第４態様の衣類の具体例である関節用サポーター２００について説明したが、第４態様の衣類はこの具体例に限定されることはない。
【０１７０】
図１３は、第４態様の衣類の別の具体例である関節用サポーター２０２を概念的に示す背面図である。
図１３に示すように、関節用サポーター２０２において、一端側領域の後面側１１２Ｂは、凹凸編地領域１１２Ｄを含み、凹凸編地領域１１２Ｄの周方向長さが、一端側領域１１２の全周長さの約１／６の長さ（即ち、一端側領域の後面側１１２Ｂの周方向長さの約１／３の長さ）となっている。
また、関節用サポーター２０２において、一端側領域の後面側１１４Ｂには、凹凸編地領域が含まれない。
これらの点を除き、関節用サポーター２０２の構成は、関節用サポーター２００の構成と同様である。
図１３（関節用サポーター２０２）に示したように、凹凸編地領域は、必ずしも、一端側領域の後面側及び他端側領域の後面側の両方に含まれている必要はなく、着圧付与領域以外の領域の一部に含まれていればよい。肌ストレス低減の観点からみた好ましい態様は、凹凸編地領域が一端側領域の後面側及び他端側領域の後面側の少なくとも一方に含まれる態様であり、更に好ましい態様は、凹凸編地領域の周方向長さが、全周長さの１／６以上の長さである態様（例えば、関節用サポーター２００及び関節用サポーター２０２）である。
【０１７１】
図１４は、第４態様の衣類の更に別の具体例である関節用サポーター２０４を概念的に示す背面図である。
図１４に示すように、関節用サポーター２０４は、一端側口ゴム部１１３を身体の一部に固定するための固定ベルト１２０を備えている。この固定ベルト１２０の一端部は、一端側口ゴム部１１３の背面側の表面（身体との対向面に対して反対側の面）の一部に接続されている。固定ベルト１２０は、面ファスナー（不図示）を備えており、これにより、固定ベルト１２０の少なくとも他端部を、一端側口ゴム部１１３の背面側の表面の一部に着脱可能に固定できるようになっている。
関節用サポーター２０４を使用する際は、例えば、まず、関節用サポーター２０４を、関節部位を含む身体の一部に着用し、次いで一端側口ゴム部１１３の上から固定ベルト１２０を巻き付け、次いで固定ベルト１２０の少なくとも他端側を、一端側口ゴム部１１３の背面側の表面の一部に着脱可能に固定する。これにより、関節用サポーター２０４の着用ずれをより効果的に抑制できる。
【０１７２】
なお、関節用サポーター２０４では、一端側口ゴム部１１３の背面側の表面の一部に、固定ベルト１２０の一端部が接続されているが、固定ベルトの一端部は、一端側口ゴム部１１３の前面側に固定されていてもよい。
また、関節用サポーター２０４の固定ベルトは面ファスナーを備えた例であるが、面ファスナー以外にも、バックル、サイドリリースバックル、ワイヤアジャスタ等を用いることもできる。
【０１７３】
また、第４態様の衣類の具体例としては、サポーター部として上記関節用サポーター２００を組み込んだ衣類（スパッツ、タイツ（例えば、スポーツタイツ、コンプレッションタイツ、医療用タイツ）、ガードル、パンティーストッキング、レギンス、トレンカ、レッグウォーマー等のボトム（例えば、スポーツ用又はインナー用等のボトム）；肌着、シャツ、コンプレッションシャツ等のトップ；ソックス；手袋；指サック；包帯；など）も挙げられる。
【０１７４】
以下、試験例により、本実施形態をより具体的に説明するが、本実施形態は以下の試験例に限定されるものではない。
【０１７５】
＜試験例１＞
試験例１は、第１態様及び第２態様の具体例である。
試験例１として、上述したサポーター本体１００と同様の構成を有する膝用サポーターであるサンプル１を用い、着圧差〔平均着圧Ａ−平均着圧Ｂ〕、着圧差〔平均着圧Ａ−平均着圧Ｂ１〕、着圧差〔平均着圧Ａ−平均着圧Ｂ２〕、及び各部の伸長率と、サポート感、フィット感、及び動作追従性と、の関係に関する試験を行った。
比較として、市販の膝用サポーターである、比較サンプルａ〜ｄの各々についても、同様の試験を行った。
以下、詳細を示す。
【０１７６】
（サンプル１の試験）
−サンプル１の詳細−
前述のとおり、サンプル１において、太腿側口ゴム部１３、太腿側サポート部１２、膝サポート部１０、脛側サポート部１４、及び脛側口ゴム部１５は、丸編みによって連続的に製造した。この際、膝サポート部１０の編み組織は、低伸長性のメッシュ編み組織を主体とし、太腿側サポート部１２及び脛側サポート部１４の編み組織は、いずれも中伸長性のメッシュ編み組織を主体とした。太腿側口ゴム部１３及び脛側口ゴム部１５の編み組織は、いずれもノンラン編み組織とした。
サンプル１における、膝サポート部１０、太腿側サポート部１２、脛側サポート部１４、太腿側口ゴム部１３、及び脛側口ゴム部１５の材質は、いずれもナイロン及びポリウレタンである。
【０１７７】
サンプル１の非伸長時のサイズは以下のとおりである。
・膝サポート部１０    …  軸方向長さ１３０ｍｍ、平均周長２２０ｍｍ
・太腿側サポート部１２  …  軸方向長さ５０ｍｍ、平均周長２０８ｍｍ
・脛側サポート部１４    …  軸方向長さ４５ｍｍ、平均周長１９５ｍｍ
・太腿側口ゴム部１３    …  軸方向長さ３０ｍｍ、平均周長２８０ｍｍ
・脛側口ゴム部１５      …  軸方向長さ２０ｍｍ、平均周長２４０ｍｍ
【０１７８】
−平均着圧Ａ、平均着圧Ｂ、着圧差〔平均着圧Ａ−平均着圧Ｂ〕、着圧差〔平均着圧Ａ−平均着圧Ｂ１〕、及び着圧差〔平均着圧Ａ−平均着圧Ｂ２〕の測定−
サンプル１について、前述した「平均着圧Ａ、平均着圧Ｂ、平均着圧Ｂ１、及び平均着圧Ｂ２の測定方法」に従い、平均着圧Ａ、平均着圧Ｂ、平均着圧Ｂ１、及び平均着圧Ｂ２を測定した。
マネキンＭ１としては、２０代男性標準寸法マネキン（（株）七彩製、製品名「ＭＤ−２０Ａ」）を用いた。マネキンＭＤ−２０Ａのサイズは、マネキンＭ１のサイズとして既に示したとおりである。
着圧測定装置としては、着圧測定用のセンサーを備えた（株）エイエムアイ・テクノ製の接触圧測定器「ＡＭＩ３０３７−１０」を用いた。
【０１７９】
マネキンＭ１の位置Ｐ１〜Ｐ１０に対するセンサーの貼り付けは、それぞれ、既定の取り扱い方法（「衣服圧・体圧などの接触圧測定器／接触圧・血流測定システム  株式会社エイエムアイ・テクノ」、[online]、株式会社エイエムアイ・テクノ、［平成２７年３月２０日検索］、インターネット＜http://www.ami-tec.co.jp/＞）に準拠して行った。
具体的には、「ＡＭＩ３０３７−１０」専用のカバーテープ「ＳＢ−ＰＴＢ」を用いて上記位置Ｐ１〜Ｐ１０にセンサーを貼り付けた。次いで、センサー厚みが０．５ｍｍとなるように装置付属のシリンジを用いて空気を挿入した。
なお、センサーは、「ＡＭＩ３０３７−１０」においては、「エアパック」と称されている。
【０１８０】
位置Ｐ１〜Ｐ１０が取り付けられたマネキンＭ１の脚に、サンプル１をまっすぐに引き上げて着用した。この時、サンプル１の膝サポート部１０における膝蓋骨の中心に相当する位置ＸがマネキンＭ１の位置Ｐ３に重なるようにし、かつ、位置Ｐ１〜Ｐ１０のセンサー全てがサンプル１で隠れるようにした。この着用状態を、初期位置とした。
【０１８１】
次に、初期位置のサンプル１に対し、サンプル１の膝側部分を基準としてサンプル１の太腿側部分が上から見て（即ち、脚の付け根側から脛側に向かって見て。以下同じ。）右回りに捻られる内反歪みを付与した。この時、付与する内反歪みの量は、サンプル１が全てのセンサーを覆う状態を維持でき、かつ、サンプル１から手を離した状態でサンプル１が動かない状態を維持できる最大の量とした。サンプル１に対して上記内反歪みが付与された着用状態を、５０秒〜６０秒維持した。
次に、サンプル１を初期位置に戻し、５０秒〜６０秒維持した。
次に、初期位置のサンプル１に対し、サンプル１の膝側部分を基準としてサンプル１の太腿側部分が上から見て左回りに捻られる外反歪みを付与した。この時、付与する外反歪みの量は、サンプル１が全てのセンサーを覆う状態を維持でき、かつ、サンプル１から手を離した状態でサンプル１が動かない状態を維持できる最大の量とした。サンプル１に対して上記外反歪みが付与された着用状態を、５０秒〜６０秒維持した。
次に、サンプル１を初期位置に戻し、５０秒〜６０秒維持した。
次に、サンプル１を上下方向に伸長することにより伸長歪みを付与した。付与する伸長歪みの量は、サンプル１から手を離した状態でサンプル１が動かない状態を維持できる最大の量とした。サンプル１に対して上記伸長歪みが付与された着用状態を、５０秒〜６０秒維持した。
次に、サンプル１を初期位置に戻し、５０秒〜６０秒維持した。
【０１８２】
次に、位置Ｐ１〜Ｐ１０の着圧を、「ＡＭＩ３０３７−１０」によって測定した。
位置Ｐ１、Ｐ５、Ｐ７、及びＰ９の各測定値の平均値を求め、得られた平均値を平均着圧Ｂとした。
位置Ｐ１及びＰ７の各測定値の平均値を求め、得られた平均値を平均着圧Ｂ１とした。
位置Ｐ５及びＰ９の各測定値の平均値を求め、得られた平均値を平均着圧Ｂ２とした。
位置Ｐ２、Ｐ３、Ｐ４、Ｐ６、Ｐ８、及びＰ１０の各測定値の平均値を求め、得られた平均値を平均着圧Ａとした。
更に、平均着圧Ａから平均着圧Ｂを差し引くことで、着圧差〔平均着圧Ａ−平均着圧Ｂ〕を求めた。
更に、平均着圧Ａから平均着圧Ｂ１を差し引くことで、着圧差〔平均着圧Ａ−平均着圧Ｂ１〕を求めた。
更に、平均着圧Ａから平均着圧Ｂ２を差し引くことで、着圧差〔平均着圧Ａ−平均着圧Ｂ２〕を求めた。
平均着圧Ａ、着圧差〔平均着圧Ａ−平均着圧Ｂ〕、着圧差〔平均着圧Ａ−平均着圧Ｂ１〕、及び着圧差〔平均着圧Ａ−平均着圧Ｂ２〕を、下記表１に示す。
【０１８３】
−伸長率（％）の測定−
サンプル１における、膝サポート部１０における膝蓋骨の中心に相当する位置Ｘを中心とする測定範囲Ｘ１、膝窩部の中心に相当する位置Ｙから軸方向に延ばした延長線３０上であって太腿側サポート部１２における軸方向の中心である位置Ｔを中心とする測定範囲Ｔ１、及び膝窩部の中心に相当する位置Ｙから軸方向に延ばした延長線３０上であって脛側サポート部における軸方向の中心である位置Ｓを中心とする測定範囲Ｓ１の各々について、軸方向の伸長率（％）及び周方向の伸長率（％）を測定した。
伸長率（％）の測定方法の詳細は前述のとおりである。
測定結果を下記表１に示す。
【０１８４】
−サポート感、フィット感、及び動作追従性の評価−
成人男性４名及び成人女性１名の計５名の被験者を対象として、サポート感、フィット感、及び動作追従性に関する官能評価を行った。
詳細には、各被験者にサンプル１を２日間程度着用させ、着用後、各被験者に対し、サポート感、フィット感、及び、膝の曲げ伸ばし動作に対する追従性（動作追従性）に関するヒヤリングを行った。
ヒヤリング結果に基づき、以下の採点方法に従って採点を行った。
【０１８５】
−−サポート感の採点方法−−
５点  …  サポート感を顕著に感じた。
４点  …  サポート感を比較的感じた。
３点  …  サポート感があるともないとも言えない。
２点  …  サポート感をあまり感じなかった。
１点  …  サポート感を全く感じなかった。
【０１８６】
−−フィット感−−
５点  …  フィット感を顕著に感じた。
４点  …  フィット感を比較的感じた。
３点  …  フィット感があるともないとも言えない。
２点  …  フィット感をあまり感じなかった。
１点  …  フィット感を全く感じなかった。
【０１８７】
−−動作追従性−−
５点  …  動作追従性が良好であった。
４点  …  動作追従性が比較的あった。
３点  …  動作追従性があるともないとも言えない。
２点  …  動作追従性をあまり感じなかった。
１点  …  動作追従性を全く感じなかった。
【０１８８】
次に、サポート感、フィット感、及び動作追従性のそれぞれについて、被験者５名の合計点を算出し、それぞれ、サポート感合計点、フィット感合計点、及び動作追従性合計点とした。
更に、サポート感合計点、フィット感合計点、及び動作追従性合計点の総和を、総合点とした。
結果を下記表１に示す。
【０１８９】
（比較サンプルａ〜ｄの試験）
市販品の膝用サポーターである比較サンプルａ〜ｄ（詳細は後述する）のそれぞれについて、サンプル１の試験と同様にして、試験を実施した。
比較サンプルａ〜ｄにおける各測定は、サンプル１における測定位置と同じ位置にて実施した。但し、言うまでもないが、膝蓋骨の中心に相当する位置にニーホールがある比較サンプルについては、位置Ｐ３の着圧は、平均着圧Ａの算出には用いなかった。
結果を表１に示す。
【０１９０】
【表１】
2018184702.tif 000003
【０１９１】
表１において、「Ｎ．Ｄ．」は、評価結果無し（No Data）を意味する。
表１において、比較サンプルａ〜ｄは以下のとおりである。
比較サンプルａ  …  アルケア（株）製の「ＯＡシームレス・プロ」（Ｍ−Ｌサイズ）
比較サンプルｂ  …  スリーエムカンパニー社製の「ＦＵＴＵＲＯ（登録商標）  ひざ用サポーター」（Ｍサイズ）
比較サンプルｃ  …  ＴＯＭＭＩＥ ＣＯＰＰＥＲ社製の「トミーカッパー  ひざサポーター」（Ｍサイズ）
比較サンプルｄ  …  ピップ（株）製の「プロ・フィッツ（登録商標）  ひざ用」（Ｍサイズ）
【０１９２】
表１に示すように、着圧差〔平均着圧Ａ−平均着圧Ｂ〕が０ｋＰａ超であり（即ち、平均着圧Ａ＞平均着圧Ｂの関係を満たし）、太腿側サポート部及び脛側サポート部がいずれも軸方向の伸長率＞周方向の伸長率を満たし、太腿側サポート部及び脛側サポート部の各々の軸方向の伸長率が１５０％以上であるサンプル１では、サポート感、フィット感、及び動作追従性の全てに優れていた。
これに対し、着圧差〔平均着圧Ａ−平均着圧Ｂ〕が０ｋＰａ以下である比較サンプルｄでは、サポート感及びフィット感が低かった。
また、太腿側サポート部が軸方向の伸長率＞周方向の伸長率を満たさず、太腿側サポート部の軸方向の伸長率が１５０％未満である比較サンプルａ〜ｃでは、動作追従性が低かった。
【０１９３】
＜試験例２＞
試験例２は、第１態様及び第２態様の具体例である。
本明細書中では、着圧測定の客観性を確保するために、着圧測定に用いるマネキンを、２０代男性標準寸法マネキンであるマネキンＭ１に特定した。
試験例２では、マネキンＭ１を用いた着圧測定の客観性を確認するために、マネキンＭ１に対し、サイズが異なる３種の膝用サポーター（下記サンプル１〜３）を着用し、それぞれの場合の着圧を測定した。
着圧測定は、試験例１における着圧測定と同様にして行った。
【０１９４】
・サンプル１  …  試験例１で用いたサンプル１。想定サイズはＭサイズ。伸び寸法２０５ｍｍ。
・サンプル２  …  伸び寸法を１８５ｍｍに変更したこと以外はサンプル１と同様にして作製されたサンプル。想定サイズはＸＳサイズ。
・サンプル３  …  伸び寸法を２２５ｍｍに変更したこと以外はサンプル１と同様にして作製されたサンプル。想定サイズはＸＬサイズ。
【０１９５】
ここで、伸び寸法とは、以下のようにして測定される膝用サポーター（サポーター本体）の横方向長さ（即ち、軸方向と直交する方向の長さ）を指す。
まず、筒型のサポーター本体の前面側と後面側とを重ねることにより、サポーター本体の形状を略平面形状とする（図７参照）。略平面形状としたサポーター本体の横方向の一端全体と他端全体とをそれぞれつかみ、横方向に５Ｎの引張力を加えてサポーター本体を横方向に伸長させる（図８参照）。伸長したサポーター本体の横方向長さを測定し、この横方向長さを伸び寸法とする。
【０１９６】
着圧測定の結果、着圧差〔平均着圧Ａ−平均着圧Ｂ〕は、サンプル２（ＸＳサイズ想定）で２．３ｋＰａ、サンプル１（Ｍサイズ想定）で１．５ｋＰａ、サンプル３（ＸＬサイズ想定）で１．２ｋＰａであった。
以上のように、サイズの違いによる着圧の違いは、さほど大きくないことが確認された。具体的には、３種の膝用サポーター（下記サンプル１〜３）のいずれにおいても、平均着圧Ａ＞平均着圧Ｂの関係（更には、平均着圧Ａ−平均着圧Ｂ≧０．８ｋＰａの関係、更には、平均着圧Ａ−平均着圧Ｂ≧１．０ｋＰａの関係）が満たされていた。
従って、特定のサイズのマネキンＭ１を用い、様々なサイズの膝用サポーターの着圧を客観的に測定できることが確認された。
【０１９７】
＜試験例３＞
試験例３は、第３態様の具体例である。
試験例１で用いたサンプル１について、前述した測定方法により、膝サポート部の伸び率を測定した。膝サポート部の伸び率の測定は、大竹工作所製の「新おもり式寸法測定器（ソックス用）」を用いて行った。結果を表２に示す。
また、サンプル１における、位置Ｘ、位置Ｙ、及び位置Ｘと位置Ｙとの中間位置の各々について、前述した測定方法により、周方向の伸長率を測定した。結果を表２に示す。
【０１９８】
−膝関節の曲げ伸ばしのし易さの評価−
成人男性４名及び成人女性１名の計５名の被験者を対象として、膝関節の曲げ伸ばしのし易さに関する官能評価を行った。
詳細には、各被験者にサポート１を２日間程度着用させ、着用後、各被験者に対し、膝関節の曲げ伸ばしのし易さに関するヒヤリングを行った。
ヒヤリング結果に基づき、以下の採点方法に従って採点を行った。
結果を表２に示す。表２中、「Ｎ．Ｄ．」は、測定データ無し（No Data）を意味する。
なお、表２では、試験例１における着圧差、サポート感、及びフィット感も再度示した。
【０１９９】
−−膝関節の曲げ伸ばしのし易さの採点方法−−
５点  …  膝関節の曲げ伸ばしのし易さを顕著に感じた。
４点  …  膝関節の曲げ伸ばしのし易さを比較的感じた。
３点  …  膝関節の曲げ伸ばしのし易さがあるともないとも言えない。
２点  …  膝関節の曲げ伸ばしのし易さをあまり感じなかった。
１点  …  膝関節の曲げ伸ばしのし易さを全く感じなかった。
【０２００】
【表２】
2018184702.tif 000004
【０２０１】
表２に示すように、着圧差〔平均着圧Ａ−平均着圧Ｂ〕が０ｋＰａ超であり（即ち、平均着圧Ａ＞平均着圧Ｂの関係を満たし）、膝サポート部の伸び率が１８０％〜２８０％であるサンプル１は、膝サポート部の伸び率が１８０％未満である比較サンブルａ〜ｃと比較して、膝関節の曲げ伸ばしのし易さに優れていた。
比較サンプルｄは、膝サポート部の伸び率が１８０％〜２８０％ではあるものの、着圧差〔平均着圧Ａ−平均着圧Ｂ〕が０ｋＰａ以下であるために、サポート感及びフィット感に劣っていた。
【０２０２】
＜試験例４＞
試験例４は、第４態様の具体例である。
試験例４として、上述した関節用サポーター２００と同様の構成を有する関節用サポーターであるサンプル４を作製した。
サンプル４において、一端側口ゴム部１１３、一端側領域１１２、中央領域１１０、他端側領域１１４、及び他端側口ゴム部１１５は、丸編みによって連続的に製造した。
この際、中央領域１１０の編み組織は、フロート編みおよびタック編みを含む低伸長性のメッシュ編み組織を主体とし、一端側領域１１２及び他端側領域１１４の編み組織は、いずれも中伸長性のメッシュ編み組織を主体とした。
一端側領域１１２において、一端側領域の後面側１１２Ｂのほぼ全面が凹凸編地領域１１２Ｃとなるようにし、一端側領域の前面側１１２Ａは、凹凸編地領域１１２Ｃよりも軸方向の弾性率が高くなるようにした。同様に、他端側領域１１４において、他端側領域の後面側１１４Ｂのほぼ全面が凹凸編地領域１１４Ｃとなるようにし、他端側領域の前面側１１４Ａは、凹凸編地領域１１４Ｃよりも軸方向の弾性率が高くなるようにした。ここで、関節を屈曲させた時の外側に位置するほぼ半周分を前面側とし、残りのほぼ半周分を後面側とした。また、サンプル４においては、凹凸編地領域１１２Ｃ及び凹凸編地領域１１４Ｃの面積はほぼ同一とした。
一端側口ゴム部１１３及び他端側口ゴム部１１５の編み組織は、いずれもノンラン編み組織とした。また、凹凸編地領域１１２Ｃ及び凹凸編地領域１１４Ｃにおける凹部は、いずれもフロート編みによって周方向の編目を１目以上飛ばし、タック編みを組み合わせて編むことにより形成した編み組織である。また、中央領域の前面側１１０Ａ（即ち、着圧付与領域）及び中央領域の後面側１１０Ｂは、フロート編みおよびタック編みの編成を変化させることによって編み分けた。
中央領域の前面側１１０Ａ（即ち、着圧付与領域）の軸方向の伸長率は１８４％であり、中央領域の後面側１１０Ｂの軸方向の伸長率は１１１％であった。
【０２０３】
サンプル４の非伸長時のサイズは、試験例１のサンプル１の非伸長時のサイズと同様とした。
なお、サンプル４における、一端側口ゴム部１１３、一端側領域１１２、中央領域１１０、他端側領域１１４、及び他端側口ゴム部１１５は、それぞれ、サンプル１における、太腿側口ゴム部１３、太腿側サポート部１２、膝サポート部１０、脛側サポート部１４、及び脛側口ゴム部１５に対応する。
【０２０４】
（着圧の測定）
マネキンＭ１を、以下の丸太棒に変更し、測定位置を以下のように変更したこと以外は試験例１と同様にして、サンプル４の着圧を測定した。
詳細には、丸太棒の下記センサー取り付け位置（位置ＸＰ１〜ＸＰ５）に、それぞれセンサーを取り付けた。センサーを取り付けた丸太棒にサンプル４を着用させた。この時、丸太棒の位置ＸＰ１〜ＸＰ５のセンサーに対し、それぞれ、サンプル４の以下の位置が重なるようにした（下記の「丸太棒におけるセンサー取り付け位置とサンプル４における位置との対応関係」参照）。
【０２０５】
−丸太棒−
形状及びサイズ  …  円周の長さが３７４ｍｍである円柱形状
材質  …  杉
加工  …  削り出し、研磨、ニス加工、及び研磨を順次実施
【０２０６】
−丸太棒におけるセンサー取り付け位置（５箇所）−
丸太棒における位置ＸＰ１  …  基準位置
丸太棒における位置ＸＰ２  …  位置ＸＰ１の上方１００ｍｍの位置
丸太棒における位置ＸＰ３  …  位置ＸＰ２の真裏
丸太棒における位置ＸＰ４  …  位置ＸＰ１の下方１００ｍｍの位置
丸太棒における位置ＸＰ５  …  位置ＸＰ４の真裏
【０２０７】
−丸太棒におけるセンサー取り付け位置とサンプル４における位置との対応関係−
丸太棒における位置ＸＰ１  …  サンプル４における着圧付与領域（中央領域の前面側１１０Ａ）の中心ＸＸ
丸太棒における位置ＸＰ２  …  サンプル４における一端側領域の前面側１１２Ａの中心
丸太棒における位置ＸＰ３  …  サンプル４における一端側領域の後面側１１２Ｂ（凹凸編地領域１１２Ｃ）の中心ＸＴ
丸太棒における位置ＸＰ４  …  サンプル４における他端側領域の前面側１１４Ａの中心
丸太棒における位置ＸＰ５  …  サンプル４における他端側領域の後面側１１４Ｂの中心ＸＳ（凹凸編地領域１１４Ｃ）
【０２０８】
位置ＸＰ１における着圧の測定値を、着圧付与領域の着圧（ｋＰａ）とした。
位置ＸＰ２における着圧の測定値及び位置ＸＰ４における着圧の測定値の平均値を、一端側領域の前面側及び他端側領域の前面側の平均着圧（ｋＰａ）とした。
位置ＸＰ３における着圧の測定値及び位置ＸＰ５における着圧の測定値の平均値を、一端側領域の後面側及び他端側領域の後面側の平均着圧（ｋＰａ）とした。
【０２０９】
次に、下記式により、着用時の着圧付与領域の周方向伸長率（％）を測定した。
着用時の着圧付与領域の周方向伸長率（％）  ＝  （丸太棒に着用させた時の着圧付与領域の周方向長さ／丸太棒に着用させる前の着圧付与領域の周方向長さ）×１００
【０２１０】
表３に、着用時の着圧付与領域の周方向伸長率（％）、着圧付与領域の着圧（ｋＰａ）、一端側領域及び他端側領域の平均着圧（ｋＰａ）、一端側領域の前面側及び他端側領域の前面側の平均着圧（ｋＰａ）、及び一端側領域の後面側及び他端側領域の後面側の平均値（ｋＰａ）をそれぞれ示す。
【０２１１】
【表３】
2018184702.tif 000005
【０２１２】
表３に示すように、サンプル４において、着圧付与領域の着圧が、一端側領域及び他端側領域の平均着圧よりも高いことが確認された。従って、サンプル４は、関節に着用させた場合に、サポート感及びフィット感に優れる。
また、サンプル４は、凹凸編地領域を含むことから、肌ストレス軽減の効果に優れる。
【０２１３】
なお、周方向に２種類の編み組織が略半周分で組み合わされているサンプル４とは異なり、周方向に２種類の編み組織が略半周分で組み合わされていない編地の場合には、その平均着圧の測定方法は、面積平均により求めることができる。
具体的には、各編み組織の面積中心における着圧の測定をする（Ｐ１１、Ｐ１２、Ｐ１３）。また各編み組織の面積は、前述の置き寸の測定方法に基づいて測定する（Ａ１、Ａ２、Ａ３）。これらの値を用いて、以下の式にて平均着圧（ｋＰａ）を求めることができる。
平均着圧＝（Ｐ１１＊Ａ１＋Ｐ１２＊Ａ２＋Ｐ１３＊Ａ３）／（Ａ１＋Ａ２＋Ａ３）
【０２１４】
また、着圧測定のセンサーよりも軸方向周方向に小さな組織が含まれる場合には、センサーよりも大きな筒型の組織サンプルを作り、着圧測定を行うことで着圧の正確な値を測定できる。
【０２１５】
（凹凸編地領域の軸方向弾性率の測定）
サンプル４の凹凸編地領域を、下記表４に示す軸方向伸長率にて伸長させた時の軸方向弾性率をそれぞれ測定した。
凹凸編地領域の軸方向弾性率は、凹凸編地領域１１２Ｃ（一端側）の軸方向弾性率と凹凸編地領域１１４Ｃ（他端側）の軸方向弾性率との平均値とした。
結果を表４に示す。
【０２１６】
【表４】
2018184702.tif 000006
【０２１７】
表４に示すように、凹凸編地領域の軸方向弾性率は、軸方向伸長率８０〜２００％の範囲に渡り、０．１Ｎ／ｍｍ２未満であった。
これにより、着用時に凹凸編地領域が２００％まで伸びても、まだ伸び代（即ち、凹凸）が残り、これにより、肌ストレス軽減の効果が好適に維持されることが示唆された。この軸方向伸長率が限界伸長率に至るまで、同様の効果が得られると考えられる。
【０２１８】
上述した凹凸編地領域の軸方向弾性率の測定において、サポーター部に単一の凹凸編地を含む凹凸編地領域が用いられる場合には、この凹凸編地領域における軸方向弾性率を、凹凸編地領域の軸方向弾性率とする。
また、サポーター部に編成の異なる凹凸編地を含む２種以上の凹凸編地領域が用いられる場合には、各領域における軸方向弾性率を求め、それらの面積平均値を、凹凸編地領域の軸方向弾性率とする。
また、一端側と凹凸編地領域の軸方向弾性率と他端側の凹凸編地領域の軸方向弾性率との平均値を算出する際、各領域の面積が異なる場合には、それらの面積を考慮して算出する。
【０２１９】
（凹凸編地領域の周方向弾性率の測定）
サンプル４の凹凸編地領域を、周方向伸長率２００％にて伸長させた時の周方向弾性率を測定した。
凹凸編地領域の周方向弾性率は、凹凸編地領域１１２Ｃ（一端側）の周方向弾性率と凹凸編地領域１１４Ｃ（他端側）の周方向弾性率との平均値とした。
その結果、周方向伸長率２００％にて伸長させた時の周方向弾性率は、０．３５Ｎ／ｍｍ２であり、０．１Ｎ／ｍｍ２〜０．５Ｎ／ｍｍ２の範囲内であることが確認された。また、上記周方向弾性率が上記範囲内に含まれる編地はいずれもフィット感に優れる傾向があることを確認した。
これにより、サンプル４は、フィット感向上、着用ずれ抑制、及び肌ストレス軽減の各効果に優れることが示唆された。
【０２２０】
上述した凹凸編地領域の周方向弾性率の測定において、サポーター部に単一の凹凸編地を含む凹凸編地領域が用いられる場合には、この凹凸編地領域における周方向弾性率を、凹凸編地領域の周方向弾性率とする。
また、サポーター部に編成の異なる凹凸編地を含む２種以上の凹凸編地領域が用いられる場合には、各領域における周方向弾性率を求め、それらの面積平均値を、凹凸編地領域の周方向弾性率とする。
また、一端側と凹凸編地領域の周方向弾性率と他端側の凹凸編地領域の周方向弾性率との平均値を算出する際、各領域の面積が異なる場合には、それらの面積を考慮して算出する。
【０２２１】
（着用ずれに関する官能試験（着用試験））
成人男性４名及び成人女性２名の計６名の被験者を対象として、凹凸編地領域の配置に関する官能試験を行った。
まず、被験者にサンプル４を、後ろ向きに２日間程度着用させた。ここで、後ろ向きとは、凹凸編地領域１１２Ｃ（一端側）が太腿の前側に対向し、凹凸編地領域１１４Ｃ（他端側）が脛の前側に対向する向きを指す。
次に、被験者にサンプル４を、前向きに２日間程度着用させた。ここで、前向きとは、凹凸編地領域１１２Ｃ（一端側）が太腿の後ろ側に対向し、凹凸編地領域１１４Ｃ（他端側）が脛の後ろ側（即ち、脹脛側）に対向する向きを指す。
その後、被験者に対し、後ろ向きで着用した場合及び前向きで着用した場合のサンプル４の着用ずれに関するヒヤリングを行った。
なお、被験者にサンプル４を前向き又は後ろ向きに着用させた場合のいずれにおいても、サンプル４において、着圧付与領域の着圧は、一端側領域及び他端側領域の平均着圧よりも高い。
ヒヤリング結果に基づき、以下の採点方法に従って採点を行った。
【０２２２】
−−着用ずれの採点方法−−
５点  …  前向きに着用した場合は、後ろ向きに着用した場合と比較して、着用ずれが改善した。
４点  …  前向きに着用した場合は、後ろ向きに着用した場合と比較して、着用ずれがどちらかというと改善した。
３点  …  前向きに着用した場合は、後ろ向きに着用した場合と比較して、着用ずれが改善したとも改善していないとも言えない。
２点  …  前向きに着用した場合は、後ろ向きに着用した場合と比較して、着用ずれがどちらかというと悪化した。
１点  …  前向きに着用した場合は、後ろ向きに着用した場合と比較して、着用ずれが悪化した。
【０２２３】
被験者６人についての試験結果は、５点が２人、４点が２人、３点が１人、２点が１人、１点が０人であった。
これにより、前向きに着用した場合（即ち、凹凸編地領域が、太腿及び脛の後ろ側に対向する場合）は、後ろ向きに着用した場合（即ち、凹凸編地領域が、太腿及び脛の前側に対向する場合）と比較して、着用ずれが改善される傾向があることがわかった。
【０２２４】
日本国特許出願２０１５−０８７５９３及び日本国特許出願２０１６−０２０１４５の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2018184702.tif 000007
【図２】
2018184702.tif 000008
【図３】
2018184702.tif 000009
【図４】
2018184702.tif 000010
【図５】
2018184702.tif 000011
【図６】
2018184702.tif 000012
【図７】
2018184702.tif 000013
【図８】
2018184702.tif 000014
【図９】
2018184702.tif 000015
【図１０】
2018184702.tif 000016
【図１１】
2018184702.tif 000017
【図１２】
2018184702.tif 000018
【図１３】
2018184702.tif 000019
【図１４】
2018184702.tif 000020